(57)【要約】      （修正有）【課題】ＨＤＭＩネットワーク上で接続される各機器について、機器に対する操作性を向上させる。【解決手段】第１の論理アドレスと該第１の論理アドレスとは異なる第２の論理アドレスとが割り当てられ、前記第２の論理アドレスに対する第１のメッセージが外部機器から入力される処理に応じて、ＧＵＩデータを出力する。さらに第２の論理アドレスに対する第１のメッセージが外部機器から入力される処理に応じて、第２のメッセージを出力しない制御を行う。【選択図】図２２
2014064218.tif 000002
【特許請求の範囲】
【請求項１】
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置。
【請求項２】
前記第２の論理アドレスに対する第１のメッセージが外部機器から入力される処理に応じて、第２のメッセージを出力しない制御を行う
請求項１に記載の情報処理装置。
【請求項３】
前記第２のメッセージは、入力を切り換えるメッセージである
請求項２に記載の情報処理装置。
【請求項４】
前記第１のメッセージは、ＨＤＭＩ(High-Definition Multimedia Interface)規格における<Set Stream Path>であり、
前記第２のメッセージは、ＨＤＭＩ(High-Definition Multimedia Interface)規格における<Routing Change>である
請求項１に記載の情報処理装置。
【請求項５】
前記第１のメッセージの入力に応じて所定の処理が実行され、
前記所定の処理が終了した後に前記第２のメッセージを出力する
請求項１に記載の情報処理装置。
【請求項６】
前記第１の論理アドレスは、ＨＤＭＩ規格において音声を出力する機器に割り当てられる論理アドレスである
請求項１に記載の情報処理装置。
【請求項７】
前記第１の論理アドレスは、ＨＤＭI規格においてリピータ機器として定義される機器に割り当てられる論理アドレスであり、
前記第２の論理アドレスは、ＨＤＭI規格においてソース機器として定義される機器に割り当てられる論理アドレスである
請求項１に記載の情報処理装置。
【請求項８】
前記第１の論理アドレスは、オーディオシステムに対応する論理アドレスであり、
前記第２の論理アドレスは、チューナに対応する論理アドレスである
請求項７に記載の情報処理装置。
【請求項９】
前記第１のメッセージは、電源をオンするためのメッセージである
請求項１に記載の情報処理装置。
【請求項１０】
前記外部機器は、テレビジョン装置である
請求項１に記載の情報処理装置。
【請求項１１】
ＡＶ(Audio Visual)アンプとして構成される
請求項１に記載の情報処理装置。
【請求項１２】
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置における制御方法。
【請求項１３】
第１の論理アドレスと該第１の論理アドレスとは異なる第２の論理アドレスとが割り当てられる情報処理装置に対して、
前記第２の論理アドレスに対する第１のメッセージが外部機器から入力される処理に応じて、ＧＵＩデータを出力する
プログラム。
【請求項１４】
少なくとも、第１の機器と、前記第１の機器と所定の規格に準じて接続される第２の機器とを有し、
前記第２の機器は、
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
制御システム。
【発明の詳細な説明】
【技術分野】
【０００１】
本開示は、情報処理装置、制御方法、プログラムおよび制御システムに関する。
【背景技術】
【０００２】
映像や音声を伝送するデジタルインタフェースとして、ＨＤＭＩ(High-Definition Multimedia Interface)規格が普及している（例えば、特許文献１を参照されたい）。ＨＤＭＩ規格では、ＣＥＣ(Consumer Electronics Control)を用いた機器間の制御が定義されている。
【先行技術文献】
【特許文献】
【０００３】
【特許文献１】国際公開２０１０／０４１５６７号
【発明の概要】
【発明が解決しようとする課題】
【０００４】
ＣＥＣによれば、ＨＤＭＩネットワーク上で接続される各機器に対して、固有の物理アドレスおよび固有の論理アドレスが割り当てられる。これらの物理アドレスおよび論理アドレスに基づいて、各機器に対する様々な制御が可能である。しかしながら、論理アドレスにより認識される機器としての操作のみが可能とされ、機器に対する操作が制約される、という問題があった。
【０００５】
本開示は、上述した点に鑑みてなされたものであり、機器に対する操作性の向上を目的の一つとしている。
【課題を解決するための手段】
【０００６】
上述した課題を解決するために、本開示は、例えば、
第１の論理アドレスと該第１の論理アドレスとは異なる第２の論理アドレスとが割り当てられ、
第２の論理アドレスに対する第１のメッセージが外部機器から入力される処理に応じて、ＧＵＩデータを出力する
情報処理装置である。
【０００７】
本開示は、例えば、
第１の論理アドレスと該第１の論理アドレスとは異なる第２の論理アドレスとが割り当てられ、
第２の論理アドレスに対する第１のメッセージが外部機器から入力される処理に応じて、ＧＵＩデータを出力する
情報処理装置における制御方法である。
【０００８】
本開示は、例えば、
第１の論理アドレスと該第１の論理アドレスとは異なる第２の論理アドレスとが割り当てられる情報処理装置に対して、
第２の論理アドレスに対する第１のメッセージが外部機器から入力される処理に応じて、ＧＵＩデータを出力する
プログラムである。
【０００９】
本開示は、例えば、
少なくとも、第１の機器と、第１の機器と所定の規格に準じて接続される第２の機器とを有し、
第２の機器は、
第１の論理アドレスと該第１の論理アドレスとは異なる第２の論理アドレスとが割り当てられ、
第２の論理アドレスに対する第１のメッセージが外部機器から入力される処理に応じて、ＧＵＩデータを出力する
制御システムである。
【発明の効果】
【００１０】
少なくとも一つの実施形態によれば、機器に対する操作性が向上する。一例を示せば、テレビジョン装置に対して遠隔操作を行うためのリモートコントロール装置を使用して、ＡＶ(Audio Visual)アンプのＧＵＩ(Graphical User Interface)操作が可能となる。
【図面の簡単な説明】
【００１１】
【図１】ＡＶシステムの一例の概要を示す図である。
【図２】ＡＶシステムの構成の一例を示す図である。
【図３】デバイスとＣＥＣ論理アドレスの対応関係の一例を示すＣＥＣテーブルを示す図である。
【図４】テレビジョン装置（シンク機器）の構成の一例を示すブロック図である。
【図５】ＢＤレコーダ（ソース機器）の構成の一例を示すブロック図である。
【図６】ＡＶアンプ（リピータ機器）の構成の一例を示すブロック図である。
【図７】ＨＤＭＩ送信部（ＨＤＭＩソース）とＨＤＭＩ受信部（ＨＤＭＩシンク）の構成の一例を示すブロック図である。
【図８】ＨＤＭＩトランスミッタとＨＤＭＩレシーバの構成の一例を示すブロック図である。
【図９】ＴＭＤＳ伝送データの構造の一例を示す図である。
【図１０】ＨＤＭＩ端子のピン配列（タイプＡ）の一例を示す図である。
【図１１】ソース機器と、リピータ機器と、シンク機器とがＨＤＭＩケーブルで接続された場合における、ＨＤＭＩ接続に係る要部の構成の一例を示す図である。
【図１２】ＣＥＣライン（ＣＥＣチャネル）で伝送されるデータのブロック構成の一例およびヘッダブロックのデータ構造の一例を示す図である。
【図１３】一般的なＡＶアンプにおける、論理アドレスを取得する動作シーケンスの一例を説明するための図である。
【図１４】本開示のＡＶアンプにおける、論理アドレスを取得する動作シーケンスの一例を説明するための図である。
【図１５】ＢＤレコーダの電源をオンする場合の動作シーケンスの一例を説明するための図である。
【図１６】ＢＤレコーダの電源をオンする場合の、詳細な動作シーケンスの一例を説明するための図である。
【図１７】入力がＡＶアンプからＢＤレコーダに切り換わる場合の動作シーケンスの一例を説明するための図である。
【図１８】一般的なＡＶアンプの電源をオンする場合の動作シーケンスの一例を説明するための図である。
【図１９】ＡＶアンプのリモートコントロール装置に対する操作に応じたＡＶアンプの動作シーケンスの一例を説明するための図である。
【図２０】ＡＶアンプの電源がオン時にＧＵＩの表示の指示がなされた場合の、ＡＶアンプの動作シーケンスの一例を説明するための図である。
【図２１】一般的なＡＶアンプの電源がオフ時にＧＵＩの表示の指示がなされた場合の、ＡＶアンプの動作シーケンスの一例を説明するための図である。
【図２２】本開示におけるＡＶアンプの電源がオフ時にＧＵＩの表示の指示がなされた場合の、ＡＶアンプの動作シーケンスの一例を説明するための図である。
【図２３】ＣＥＣメッセージ<Set Stream Path>を受信した場合における、ＡＶアンプの処理の流れの一例を示すフローチャートである。
【図２４】ＡＶアンプのＧＵＩを開く処理の流れの一例を示すフローチャートである。
【図２５】ＡＶアンプのＧＵＩを閉じる処理の流れの一例を示すフローチャートである。
【図２６】外部機器からＣＥＣメッセージ<Active Source>を受信した場合における、ＡＶアンプの処理の流れの一例を示すフローチャートである。
【図２７】入力の切換指示がなされた場合における、ＡＶアンプの処理の流れの一例を示すフローチャートである。
【図２８】テレビジョン装置のリモートコントロール装置の外観の一例を示す図である。
【図２９】ＡＶアンプのＧＵＩ処理部で生成される表示（メニュー画面）の一例を示す図である。
【図３０】ＡＶアンプのＧＵＩ処理部で生成される表示の一例を示す図である。
【図３１】ＡＶアンプのＧＵＩ処理部で生成される表示の一例を示す図である。
【図３２】テレビジョン装置により生成されるホーム画面の一例を示す図である。
【図３３】リンクメニュー画面の一例を説明するための図である。
【図３４】リンクメニュー画面の一例を説明するための図である。
【図３５】テレビジョン装置における表示の遷移の一例を説明するための図である。
【発明を実施するための形態】
【００１２】
以下、本開示の実施形態について図面を参照しながら説明する。なお、説明は、以下の順序で行う。
＜１．第１の実施形態＞
＜２．変形例＞
なお、以下に説明する実施形態等は本開示の好適な具体例であり、本開示の内容がこれらの実施形態等に限定されるものではない。
【００１３】
＜１．第１の実施形態＞
１−１．システムの概要
図１は、本開示におけるＡＶシステムの概要の一例を示す。図１に示されるＡＶシステム１００は、例えば、テレビジョン装置２００、ＡＶアンプ３００、ＢＤ(Blu-ray Disc(登録商標))レコーダ４００およびＤＶＤ(Digital Versatile Disc)プレーヤ５００を含む構成とされる。なお、テレビジョン装置２００が外部機器または第１の機器の一例とされ、ＡＶアンプ３００が情報処理装置または第２の機器の一例とされる。
【００１４】
例示した各機器が、例えば、ＨＤＭＩ規格に基づくネットワークにより相互に接続されている。各機器の接続は、有線でもよく無線であってもよい。以下の説明では、ＡＶシステム１００を構成するテレビジョン装置２００等の各機器は、ＨＤＭI規格のＣＥＣに対応する機器として説明する。もちろん、ＡＶシステム１００を構成する機器の中に、ＣＥＣに対応していない機器が含まれてもよい。
【００１５】
ＣＥＣにおいて、ＨＤＭＩ入力端子を持つものはシンク（sink）機器と、ＨＤＭＩ出力端子を持ちＡＶストリームを出力するものはソース（Source）機器と定義されている。また、ＨＤＭＩ入力端子及び出力端子を持ちＡＶストリームの入出力を行い、シンク機器及びソース機器の双方として振る舞うものは、リピータ（Repeater）機器と定義されている。シンク機器の主なものとしてはテレビジョン装置やプロジェクタ等の表示機器が挙げられる。ソース機器の例としてはＳＴＢ（Set Top Box）、ＤＶＤやＢＤ等の各種プレーヤ、ＤＶＤやＢＤ等の各種レコーダなどが挙げられる。リピータの例としてはＡＶアンプなどが挙げられる。
【００１６】
ＡＶシステム１００において、テレビジョン装置２００はシンク機器を構成している。ＡＶシステム１００において、ＢＤレコーダ４００およびＤＶＤプレーヤ５００は、ソース機器を構成している。ＡＶアンプ３００は、通常、リピータ機器を構成するが、ソース機器としても振る舞う場合がある。
【００１７】
一般的な技術では、機器間の接続にビデオ、オーディオ、コントロールの各信号用の複数のケーブルを用いていた。しかし、ＨＤＭＩではケーブル１本で済み、コントロール信号は双方向の伝送に対応している。そのため、例えば、テレビジョン装置２００からＨＤＭＩで接続されたＢＤレコーダ４００やＤＶＤプレーヤ５００等の出力装置にコントロール信号を中継することで、テレビジョン装置２００のリモートコントロール装置を用いてＡＶシステム１００全体を操作することも可能となる。さらに、ＡＶアンプ３００がＧＵＩを生成する機能を有する場合には、テレビジョン装置２００のリモートコントロール装置（リモコン装置と略称する場合がある）を用いて、当該ＧＵＩに対する操作が可能となる。
【００１８】
図２は、ＡＶシステム１００の具体的な接続の一例を示す。テレビジョン装置２００は、ＨＤＭＩ端子２０１，２０２と、光出力端子２０３とを備える。ＢＤレコーダ４００は、ＨＤＭＩ端子４０１を備える。ＤＶＤプレーヤ５００は、ＨＤＭＩ端子５０１を備える。
【００１９】
ＡＶアンプ３００は、ＨＤＭＩ端子３０１，３０２，３０３，３０４と、光入力端子３０５とを備える。このＡＶアンプ３００には、スピーカ群３５０が接続されている。スピーカ群３５０は、例えば、５．１チャンネル（ｃｈ）のサラウンドを実現し、例えば、聴取者の正面、右前方、左前方、右後方、左後方に配置されるスピーカおよび低音出力用サブウーファスピーカで構成される。
【００２０】
テレビジョン装置２００およびＡＶアンプ３００は、ＨＤＭＩケーブル７０１および光ケーブル７０２を介して接続されている。ＨＤＭＩケーブル７０１の一端はテレビジョン装置２００のＨＤＭＩ端子２０１に接続され、ＨＤＭＩケーブル７０１の他端はＡＶアンプ３００のＨＤＭＩ端子３０４に接続されている。光ケーブル７０２の一端はテレビジョン装置２００の光出力端子２０３に接続され、光ケーブル７０２の他端はＡＶアンプ３００の光入力端子３０５に接続されている。
【００２１】
ＡＶアンプ３００およびＢＤレコーダ４００は、ＨＤＭＩケーブル７０３を介して接続されている。ＨＤＭＩケーブル７０３の一端はＡＶアンプ３００のＨＤＭＩ端子３０１に接続され、ＨＤＭＩケーブル７０３の他端はＢＤレコーダ４００のＨＤＭＩ端子４０１に接続されている。
【００２２】
ＡＶアンプ３００およびＤＶＤプレーヤ５００は、ＨＤＭＩケーブル７０４を介して接続されている。ＨＤＭＩケーブル７０４の一端はＡＶアンプ３００のＨＤＭＩ端子３０２に接続され、ＨＤＭＩケーブル７０４の他端はＤＶＤプレーヤ５００のＨＤＭＩ端子５０１に接続されている。
【００２３】
１−２．物理アドレスおよび論理アドレスの取得について
図１および図２により例示されるＡＶシステム１００において、各機器の物理アドレス（Physical Address）およびＣＥＣ論理アドレス（Logical Address）の取得は、例えば、以下のように行われる。
【００２４】
テレビジョン装置２００（物理アドレスは［００００］、ＣＥＣ論理アドレスは｛０｝）にＨＤＭＩケーブル７０１を介してＡＶアンプ３００が接続されるとき、ＡＶアンプ３００はＨＤＭＩ制御プロトコルを使用して、テレビジョン装置２００から物理アドレス［１０００］を取得する。
【００２５】
ＣＥＣに対応する機器は、ＨＤＭＩ接続時に、論理アドレスを取得するように規定されている。ＣＥＣ対応機器は、この論理アドレスを用いて、メッセージの送受信を行う。図３は、デバイスとＣＥＣ論理アドレスの対応関係を表すテーブルを示している。デバイスの「TV」はテレビ、プロジェクタ等である。デバイスの「Recording Device」はＢＤプレーヤ、ＤＶＤレコーダ等である。デバイスの「Tuner」はＳＴＢ（Set Top Box）等である。デバイスの「Playback Device」はＤＶＤプレーヤ、カムコーダ等である。デバイスの「Audio System」はＡＶアンプ等である。
【００２６】
ＡＶアンプ３００は、上述したように、ＣＥＣ対応機器である。ＡＶアンプ３００は、図３のテーブルに基づいて、「Audio System」として論理アドレス｛５｝（第１の論理アドレスの一例）を決定する。論理アドレス｛５｝は、音声を出力する機器に割り当てられる論理アドレスである。また、論理アドレス｛５｝は、リピータ機器として定義される機器に割り当てられる論理アドレスである。この場合、ＡＶアンプ３００は、ＣＥＣ制御プロトコルのPolling Messageで他の機器に、この論理アドレス｛５｝を持つ機器が存在しないことを認識した後に、当該論理アドレス｛５｝を自身の論理アドレスとして決定する。
【００２７】
さらに、ＡＶアンプ３００は、論理アドレス｛５｝とは異なる論理アドレスを取得する。例えば、「Tuner」の論理アドレス｛３｝（第２の論理アドレスの一例）を取得する。論理アドレス｛３｝は、ソース機器として定義される機器に割り当てられる論理アドレスである。この場合、ＡＶアンプ３００は、ＣＥＣ制御プロトコルのPolling Messageで他の機器に、この論理アドレス｛３｝を持つ機器が存在しないことを認識した後に、当該論理アドレス｛３｝を自身の論理アドレスとして決定する。第２の論理アドレスとして、どの論理アドレスを取得するかについては、例えば、予めＡＶアンプ３００に記憶されている。
【００２８】
すなわち、ＡＶアンプ３００に対して、一の物理［１０００］と、複数（例えば、２）の論理アドレスである論理アドレス｛３｝および論理アドレス｛５｝が割り当てられる。ＡＶアンプ３００に対して論理アドレス｛３｝が割り当てられることにより、ＡＶアンプ３００をソース機器として扱うことが可能となる。ＡＶアンプ３００は、ＣＥＣ制御プロトコルのReport Physical Addressにより、物理アドレス［１０００］、論理アドレス｛３｝および論理アドレス｛５｝であることを、テレビジョン装置２００に通知する。
【００２９】
ＡＶアンプ３００にＨＤＭＩケーブル７０３を介してＢＤレコーダ４００が接続されるとき、ＢＤレコーダ４００は、ＨＤＭＩ制御プロトコルを使用して、ＡＶアンプ３００から物理アドレス［１１００］を取得する。
【００３０】
ＢＤレコーダ４００は、上述したように、ＣＥＣ対応機器である。ＢＤレコーダ４００は、図３のテーブルに基づいて、「Recording Device」として論理アドレス｛１｝を取得する。この場合、ＢＤレコーダ４００は、ＣＥＣ制御プロトコルのPolling Messageで他の機器に、この論理アドレス｛１｝を持つ機器が存在しないことを認識した後に、当該論理アドレス｛１｝を自身の論理アドレスとして決定する。そして、ＢＤレコーダ４００は、ＣＥＣ制御プロトコルのReport Physical Addressにより、物理アドレス［１１００］は、ＣＥＣ対応機器｛１｝であることを、テレビジョン装置２００およびＡＶアンプ３００に通知する。
【００３１】
ＡＶアンプ３００にＨＤＭＩケーブル７０４を介してＤＶＤプレーヤ５００が接続されるとき、ＤＶＤプレーヤ５００は、ＨＤＭＩ制御プロトコルを使用して、ＡＶアンプ３００から物理アドレス［１２００］を取得する。
【００３２】
ＤＶＤプレーヤ５００は、上述したように、ＣＥＣ対応機器である。ＤＶＤプレーヤ５００は、図３のテーブルに基づいて、「Playback Device」として論理アドレス｛４｝を取得する。この場合、ＤＶＤプレーヤ５００は、ＣＥＣ制御プロトコルのPolling Messageで他の機器に、この論理アドレス｛４｝を持つ機器が存在しないことを認識した後に、当該論理アドレス｛４｝を自身の論理アドレスとして決定する。そして、ＤＶＤプレーヤ５００は、ＣＥＣ制御プロトコルのReport Physical Addressにより、物理アドレス［１２００］は、ＣＥＣ対応機器｛４｝であることを、テレビジョン装置２００およびＡＶアンプ３００に通知する。
【００３３】
ＡＶシステム１００において、テレビジョン装置２００のチューナで選局された番組を視聴する場合には、以下のようになる。すなわち、チューナで得られる映像信号による画像は、テレビジョン装置２００の表示パネル（図示を省略している）に表示される。チューナで得られる音声信号による音声は、ＡＶアンプ３００がシステムオーディオモードＯＦＦの状態にあるときは、テレビジョン装置２００のスピーカ（図示を省略している）から出力される。また、チューナで得られる音声信号による音声は、ＡＶアンプ３００がシステムオーディオモードＯＮの状態にあるときは、ＡＶアンプ３００に接続されているスピーカ群３５０から出力される。
【００３４】
１−３．テレビジョン装置の構成
図４は、テレビジョン装置２００の構成の一例を示す。テレビジョン装置２００は、例えば、ＨＤＭＩ端子２０１，２０２と、ＨＤＭＩスイッチャ（ＳＷ）２０４と、ＨＤＭＩ受信部（ＲＸ）２０５と、アンテナ端子２１０と、デジタルチューナ２１１と、デマルチプレクサ(Demux）２１２と、ＭＰＥＧ(Moving Picture Expert Group)デコーダ２１３と、映像・グラフィック処理回路２１４と、パネル駆動回路２１５と、表示パネル２１６と、音声処理回路２１７と、音声増幅回路２１８と、スピーカ２１９と、内部バス２３０と、ＣＰＵ２３１と、フラッシュＲＯＭ２３２と、ＤＲＡＭ２３３と、リモコン受信部２３４と、リモコン送信部２３５とを有する。
【００３５】
ＣＰＵ２３１は、テレビジョン装置２００の各部の動作を制御する。さらに、ＣＰＵ２３１は、ＨＤＭＩ規格のＣＥＣに定義される各種のコマンドを適宜生成し、生成したコマンドをＨＤＭＩ端子２０１，または２０２のＣＥＣラインを介して、ＡＶアンプ３００に出力する。さらに、ＣＰＵ２３１は、ＨＤＭＩ端子２０１，または２０２のＣＥＣラインを介して入力されるコマンドの内容を解釈する。
【００３６】
フラッシュＲＯＭ２３２には、ＣＰＵ２３１により実行されるソフトウェアが格納され、さらに、データの保管が行われる。ＤＲＡＭ２３３は、ＣＰＵ２３１のワークエリア等を構成する。ＣＰＵ２３１は、フラッシュＲＯＭ２３２から読み出したソフトウェアやデータをＤＲＡＭ２３３上に展開してソフトウェアを起動し、テレビジョン装置２００の各部を制御する。ＣＰＵ２３１、フラッシュＲＯＭ２３２およびＤＲＡＭ２３３は、内部バス２３０に接続されている。
【００３７】
リモコン受信部２３４は、リモコン送信部２３５から送信された、例えば赤外線のリモートコントロール信号（リモコンコード）を受信し、ＣＰＵ２３１に供給する。ユーザは、リモコン送信部２３５を操作することにより、テレビジョン装置２００の操作、およびこのテレビジョン装置２００にＨＤＭＩケーブルにより接続されているＣＥＣ対応機器の操作を行うことができる。
【００３８】
アンテナ端子２１０は、受信アンテナ（図示を省略している）により受信されたテレビ放送信号が入力される端子である。デジタルチューナ２１１は、アンテナ端子２１０に入力されたテレビ放送信号を処理して、ユーザの選択チャネルに対応した所定のトランスポートストリームを出力する。デマルチプレクサ２１２は、デジタルチューナ２１１で得られたトランスポートストリームから、ユーザの選択チャネルに対応した、パーシャルＴＳ（Transport Stream）（映像データのＴＳパケット、音声データのＴＳパケット）を抽出する。
【００３９】
デマルチプレクサ２１２は、デジタルチューナ２１１で得られたトランスポートストリームから、ＰＳＩ／ＳＩ(Program Specific Information/Service Information)を取り出し、ＣＰＵ２３１に出力する。デジタルチューナ２１１で得られたトランスポートストリームには、複数のチャネルが多重化されている。デマルチプレクサ２１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００４０】
ＭＰＥＧデコーダ２１３は、デマルチプレクサ２１２で得られる映像データのＴＳパケットにより構成される映像ＰＥＳ(Packetized Elementary Stream)パケットに対してデコード処理を行って映像データを得る。また、ＭＰＥＧデコーダ２１３は、デマルチプレクサ２１２で得られる音声データのＴＳパケットにより構成される音声ＰＥＳパケットに対してデコード処理を行って音声データを得る。
【００４１】
映像・グラフィック処理回路２１４は、ＭＰＥＧデコーダ２１３で得られた映像データに対して、必要に応じて、スケーリング処理、グラフィックスデータの重畳処理等を行う。パネル駆動回路２１５は、映像・グラフィック処理回路２１４から出力される映像データに基づいて、表示パネル２１６を駆動する。表示パネル２１６は、例えば、ＬＣＤ(Liquid Crystal Display)、ＰＤＰ(Plasma Display Panel)、有機ＥＬ(Electroluminescence)等により構成される。
【００４２】
音声処理回路２１７は、ＭＰＥＧデコーダ２１３で得られた音声データに対してＤ／Ａ変換等の必要な処理を行う。音声増幅回路２１８は、音声処理回路２１７から出力されるアナログ音声信号を増幅してスピーカ２１９に供給する。また、音声処理回路２１７は、ＭＰＥＧデコーダ２１３で得られた音声データを、例えばＳ／ＰＤＩＦ規格のデジタル光信号に変換して、光出力端子２０３に出力する。
【００４３】
ＨＤＭＩスイッチャ２０４は、ＨＤＭＩ端子２０１，２０２をＨＤＭＩ受信部２０５に選択的に接続する。ＨＤＭＩ受信部２０５は、ＨＤＭＩスイッチャ２０４を介して、ＨＤＭＩ端子２０１，２０２のいずれかに選択的に接続されている。ＨＤＭＩ受信部２０５は、ＨＤＭＩに準拠した通信により、ＨＤＭＩ端子２０１，２０２に接続されている外部機器（ソース機器、またはリピータ機器）から送信されてくるベースバンドの映像と音声のデータを受信する。さらに、ＨＤＭＩ受信部２０５は、外部機器から送信されるコマンドを受信する。
【００４４】
テレビジョン装置２００の動作の一例を概略的に説明する。アンテナ端子２１０に入力されるテレビ放送信号はデジタルチューナ２１１に供給される。このデジタルチューナ２１１では、テレビ放送信号が処理されて、ユーザの選択チャネルに対応したトランスポートストリームが得られる。得られたトランスポートストリームは、デマルチプレクサ２１２に供給される。デマルチプレクサ２１２では、トランスポートストリームから、ユーザの選択チャネルに対応した、パーシャルＴＳ（映像データのＴＳパケット、音声データのＴＳパケット）が抽出される。このパーシャルＴＳは、ＭＰＥＧデコーダ２１３に供給される。
【００４５】
ＭＰＥＧデコーダ２１３では、映像データのＴＳパケットにより構成される映像ＰＥＳパケットに対してデコード処理が行われて映像データが得られる。この映像データは、映像・グラフィック処理回路２１４において、必要に応じて、スケーリング処理、グラフィックスデータの重畳処理等が行われた後に、パネル駆動回路２１５に供給される。そのため、表示パネル２１６には、ユーザの選択チャネルに対応した画像が表示される。
【００４６】
さらに、ＭＰＥＧデコーダ２１３では、音声データのＴＳパケットにより構成される音声ＰＥＳパケットに対してデコード処理が行われて音声データが得られる。この音声データは、音声処理回路２１７でＤ／Ａ変換等の必要な処理が行われ、さらに、音声増幅回路２１８で増幅された後に、スピーカ２１９に供給される。そのため、スピーカ２１９から、ユーザの選択チャネルに対応した音声が出力される。
【００４７】
ＭＰＥＧデコーダ２１３で得られる音声データは、音声処理回路２１７で、例えばＳ／ＰＤＩＦ規格のデジタル光信号に変換されて、光出力端子２０３に出力される。そのため、音声データを、光ケーブルを介して、外部機器に送信できる。ＡＶシステム１００においては、上述したように、テレビジョン装置２００からの音声データが、光ケーブル７０２を介してＡＶアンプ３００に供給される。
【００４８】
そして、ＡＶアンプ３００がシステムオーディオモードＯＮの状態にあるとき、ＡＶアンプ３００に接続されているスピーカ群３５０から、テレビジョン装置２００からの音声データによる音声が出力される。なお、この場合、ＣＰＵ２３１により音声増幅回路２１８はミューティング状態とされ、テレビジョン装置２００のスピーカ２１９から音声は出力されない。
【００４９】
ＨＤＭＩ受信部２０５では、ＨＤＭＩケーブルを介してＨＤＭＩ端子２０１，２０２に入力される映像および音声のデータ、各種のコマンドが得られる。映像データは映像・グラフィック処理回路２１４に供給される。音声データは、音声処理回路２１７に供給される。以降は、上述したテレビ放送信号の受信時と同様の動作となり、表示パネル２１６に画像が表示され、スピーカ２１９から音声が出力される。
【００５０】
ＡＶシステム１００において、例えば、ＢＤレコーダ４００、ＤＶＤプレーヤ５００またはＤＶＤレコーダ６００からの映像データ、音声データによる画像、音声の視聴を行う場合には、上述したように、ＨＤＭＩ受信部２０５で取得された映像データ、音声データによる画像、音声の視聴状態となる。
【００５１】
なお、この場合にあっても、ＡＶアンプ３００がシステムオーディオモードＯＮの状態にあるとき、ＡＶアンプ３００に接続されているスピーカ群３５０から音声データによる音声が出力され、テレビジョン装置２００の音声増幅回路２１８はミューティング状態とされ、スピーカ２１９から音声は出力されない。
【００５２】
１−４．ＢＤレコーダの構成
図５は、ＢＤレコーダ４００の構成の一例を示す。ＢＤレコーダ４００は、例えば、ＨＤＭＩ端子４０１と、ＨＤＭＩ送信部４０２と、アンテナ端子４１０と、デジタルチューナ４１１と、デマルチプレクサ４１２と、記録／再生インタフェース４１３と、ＢＤドライブ４１４と、ＭＰＥＧデコーダ４１５と、グラフィック生成回路４１６と、映像出力端子４１７と、音声出力端子４１８と、内部バス４２０と、ＣＰＵ４２１と、フラッシュＲＯＭ４２２と、ＤＲＡＭ４２３とを有する。
【００５３】
ＣＰＵ４２１は、ＢＤレコーダ４００の各部の動作を制御する。さらに、ＣＰＵ４２１は、ＨＤＭＩ規格のＣＥＣに定義される各種のコマンドを適宜生成し、生成したコマンドをＨＤＭＩ端子４０１のＣＥＣラインを介して、ＡＶアンプ３００に出力する。さらに、ＣＰＵ４２１は、ＨＤＭＩ端子４０１のＣＥＣラインを介して入力されるコマンドの内容を解釈する。
【００５４】
フラッシュＲＯＭ４２２には、ＣＰＵ４２１が実行するソフトウェアが格納され、データが保管される。ＤＲＡＭ４２３は、ＣＰＵ４２１のワークエリア等として使用される。ＣＰＵ４２１は、フラッシュＲＯＭ４２２から読み出したソフトウェアやデータをＤＲＡＭ４２３上に展開してソフトウェアを起動し、ＢＤレコーダ４００の各部を制御する。ＣＰＵ４２１、フラッシュＲＯＭ４２２、ＤＲＡＭ４２３、デマルチプレクサ４１２および記録／再生インタフェース４１３は、内部バス４２０に接続されている。
【００５５】
ＣＰＵ４２１には、ユーザ操作部４２５および表示部４２６が接続されている。例えば、ユーザ操作部４２５および表示部４２６により、ユーザインタフェースが構成される。ユーザ操作部４２５により、ユーザはＢＤレコーダ４００の動作を操作できる。ユーザ操作部４２５は、ＢＤレコーダ４００の図示を省略している筐体に配設されたキー、釦、ダイアル、リモコン送受信機等で構成される。表示部４２６は、ＢＤレコーダ４００の動作状態、ユーザの操作状態等を表示し、ＬＣＤや有機ＥＬなどにより構成される。
【００５６】
アンテナ端子４１０は、受信アンテナ（図示を省略している）で受信されたテレビ放送信号を入力する端子である。デジタルチューナ４１１は、アンテナ端子４１０に入力されるテレビ放送信号を処理して、所定のトランスポートストリームを出力する。デマルチプレクサ４１２は、デジタルチューナ４１１で得られたトランスポートストリームから、所定の選択チャネルに対応した、パーシャルＴＳ（Transport Stream）（映像データのＴＳパケット、音声データのＴＳパケット）を抽出する。
【００５７】
デマルチプレクサ４１２は、デジタルチューナ４１１で得られたトランスポートストリームから、ＰＳＩ／ＳＩ(Program Specific Information/Service Information)を取り出し、ＣＰＵ４２１に出力する。デジタルチューナ４１１で得られたトランスポートストリームには複数のチャネルが多重化されている。デマルチプレクサ４１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００５８】
ＢＤドライブ４１４は、記録／再生インタフェース４１３を介して内部バス４２０に接続されている。ＢＤドライブ４１４は、記録時には、デマルチプレクサ４１２で抽出されたパーシャルＴＳをディスクに記録する。また、ＢＤドライブ４１４は、再生時には、ディスクに記録されているパーシャルＴＳを再生する。
【００５９】
ＭＰＥＧデコーダ４１５は、デマルチプレクサ４１２で抽出された、あるいは、ＢＤドライブ４１４で再生されたパーシャルＴＳを構成する映像ＰＥＳパケットに対してデコード処理を行って映像データを得る。ＭＰＥＧデコーダ４１５は、当該パーシャルＴＳを構成する音声ＰＥＳパケットに対してデコード処理を行って音声データを得る。
【００６０】
グラフィック生成回路４１６は、ＭＰＥＧデコーダ４１５で得られた映像データに対して、必要に応じてグラフィックスデータの重畳処理等を行う。映像出力端子４１７は、グラフィック生成回路４１６から出力される映像データを出力する。音声出力端子４１８は、ＭＰＥＧデコーダ４１５で得られた音声データを出力する。
【００６１】
ＨＤＭＩ送信部（ＨＤＭＩソース）４０２は、ＨＤＭＩに準拠した通信により、ＭＰＥＧデコーダ４１５で得られたベースバンドの映像と音声のデータを、ＨＤＭＩ端子４０１から送出する。
【００６２】
ＢＤレコーダ４００の動作の一例を概略的に説明する。アンテナ端子４１０に入力されるテレビ放送信号はデジタルチューナ４１１に供給される。デジタルチューナ４１１では、テレビ放送信号を処理して、所定のトランスポートストリームが取り出され、このトランスポートストリームはデマルチプレクサ４１２に供給される。デマルチプレクサ４１２では、トランスポートストリームから、所定のチャネルに対応した、パーシャルＴＳ（映像データのＴＳパケット、音声データのＴＳパケット）が抽出される。パーシャルＴＳは、記録／再生インタフェース４１３を介してＢＤドライブ４１４に供給され、ＣＰＵ４２１からの記録指示に基づいて記録される。
【００６３】
また、デマルチプレクサ４１２で抽出されるパーシャルＴＳ、または、ＢＤドライブ４１４で再生されるパーシャルＴＳは、ＭＰＥＧデコーダ４１５に供給される。このＭＰＥＧデコーダ４１５では、映像データのＴＳパケットにより構成される映像ＰＥＳパケットに対してデコード処理が行われて映像データが得られる。得られた映像データは、グラフィック生成回路４１６でグラフィックスデータの重畳処理等が行われた後に、映像出力端子４１７に出力される。さらに、ＭＰＥＧデコーダ４１５では、音声データのＴＳパケットにより構成される音声ＰＥＳパケットに対してデコード処理が行われて音声データが得られる。得られた音声データが音声出力端子４１８に出力される。
【００６４】
ＭＰＥＧデコーダ４１５の処理により得られる、ベースバンドの映像および音声のデータは、ＨＤＭＩ送信部４０２に供給され、ＨＤＭＩ送信部４０２からＨＤＭＩ端子４０１を通じて外部機器に送出される。
【００６５】
ＢＤレコーダ４００にハードディスクを設け、ハードディスクに映像データや音声データが記録される構成としてもよい。ハードディスクに記録された映像データや音声データが再生され、再生された映像データ等がＨＤＭＩ端子４０１を通じて外部機器に送出されるようにしてもよい。
【００６６】
なお、ＤＶＤプレーヤ５００の構成は、上述したＢＤレコーダ４００において、ＢＤドライブ４１４がＤＶＤドライブとされ、デジタルチューナーおよび、記録系が除かれたものと同様とされる。ＤＶＤプレーヤ５００の詳細な説明は、省略する。
【００６７】
１−５．ＡＶアンプの構成
図６は、ＡＶアンプ３００の構成の一例を示す。ＡＶアンプ３００は、例えば、ＨＤＭＩ端子３０１〜３０４と、光入力端子３０５と、ＨＤＭＩスイッチャ３０６と、ＨＤＭＩ受信部３０７と、ＨＤＭＩ送信部３０８と、変換部３１０と、アナログ音声入力端子３１１と、アンテナ端子３１２と、ＦＭチューナ３１３と、セレクタ３１４と、Ａ／Ｄ変換器３１５と、セレクタ３１６と、ＤＳＰ（Digital Signal Processor）３１７と、音声増幅回路３１８と、音声出力端子３１９ａ〜３１９ｆと、内部バス３２０と、ＣＰＵ３２１と、フラッシュＲＯＭ３２２と、ＤＲＡＭ３２３と、ＧＵＩ処理部３３０とを有する。
【００６８】
ＣＰＵ３２１は、ＡＶアンプ３００の各部の動作を制御する。さらに、ＣＰＵ３２１は、ＨＤＭＩ規格のＣＥＣに定義される各種のコマンドを適宜生成し、生成したコマンドをＨＤＭＩ端子３０１等のＣＥＣラインを介して、外部機器（テレビジョン装置２００やＢＤレコーダ４００など）に出力する。さらに、ＣＰＵ３２１は、ＨＤＭＩ端子３０１等のＣＥＣラインを介して入力されるコマンドの内容を解釈する。
【００６９】
フラッシュＲＯＭ３２２には、ＣＰＵ３２１により実行されるソフトウェア等が格納される。ＤＲＡＭ３２３は、ＣＰＵ３２１のワークエリアなどとして使用される。ＣＰＵ３２１は、フラッシュＲＯＭ３２２から読み出したソフトウェアやデータをＤＲＡＭ３２３上に展開してソフトウェアを起動し、ＡＶアンプ３００の各部を制御する。ＣＰＵ３２１、フラッシュＲＯＭ３２２およびＤＲＡＭ３２３は、内部バス３２０に接続されている。
【００７０】
ＣＰＵ３２１には、ユーザ操作部３２４および表示部３２５が接続されている。例えば、ユーザ操作部３２４および表示部３２５により、ユーザインタフェースが構成される。ユーザ操作部３２４により、ユーザがＡＶアンプ３００の出力音声の選択、ＦＭチューナ３１３の選局、動作設定等を行うことができる。ユーザは、このユーザ操作部３２４により、システムオーディオモードのＯＮ／ＯＦＦ等を設定できる。
【００７１】
ユーザ操作部３２４は、ＡＶアンプ３００の図示しない筐体に配設されたキー、釦、ダイアル、リモコン送受信機等を総称したものである。表示部３２５は、ＡＶアンプ３００の動作状態、ユーザの操作状態等を表示し、ＦＬ管ＬＣＤ、有機ＥＬなどにより構成される。
【００７２】
光入力端子３０５は、光ケーブルを通じて、例えばＳ／ＰＤＩＦ規格のデジタル光信号を入力する端子である。変換部３１０は、光入力端子３０５に入力されたデジタル光信号から、音声信号のサンプリング周波数と同じ周波数（例えば、４４．１ｋＨｚ）を持つクロックＬＲＣＫ、サンプリング周波数の例えば５１２倍あるいは２５６倍のマスタークロックＭＣＫと、クロックＬＲＣＫの１周期毎に存在するそれぞれ２４ビットの左右の音声データＬＤＡＴＡ，ＲＤＡＴＡと、データの各ビットに同期したビットクロックＢＣＫを生成して、セレクタ３１６に供給する。
【００７３】
アナログ音声入力端子３１１は、外部機器で得られる左右のアナログ音声信号を入力する端子である。アンテナ端子３１２は、ＦＭ受信アンテナ（図示を省略している）で受信されたＦＭ放送信号を入力する端子である。ＦＭチューナ３１３は、アンテナ端子３１２に入力されたＦＭ放送信号を処理して、ユーザの選択チャネルに対応した左右のアナログ音声信号を出力する。セレクタ３１４は、アナログ音声入力端子３１１に入力されたアナログ音声信号またはＦＭチューナ３１３から出力されたアナログ音声信号を選択的に取り出す。Ａ／Ｄ変換器３１５は、セレクタ３１４で取り出されたアナログ音声信号をデジタルの音声データに変換してセレクタ３１６に供給する。
【００７４】
ＨＤＭＩスイッチャ３０６は、ＨＤＭＩ端子３０１〜３０３をＨＤＭＩ受信部３０７に選択的に接続する。ＨＤＭＩ受信部３０７は、ＨＤＭＩスイッチャ３０６を介して、ＨＤＭＩ端子３０１〜３０３のいずれかに選択的に接続されている。ＨＤＭＩ受信部３０７は、ＨＤＭＩに準拠した通信により、ＨＤＭＩ端子３０１〜３０３に接続されている外部機器（ソース機器）から送信されてくるベースバンドの映像と音声のデータを受信する。
【００７５】
ＨＤＭＩ受信部３０７は、音声データをセレクタ３１６に供給すると共に、映像と音声のデータをＨＤＭＩ送信部３０８に供給する。ＨＤＭＩ送信部３０８は、ＨＤＭＩに準拠した通信により、ＨＤＭＩ受信部３０７から供給されたベースバンドの映像と音声のデータをＨＤＭＩ端子３０４から送出する。これにより、ＡＶアンプ３００はリピータ機能を発揮する。
【００７６】
ＨＤＭＩ端子３０１〜３０４には、外部機器（テレビジョン装置２００やＢＤレコーダ４００等）からのコマンドが入力される。入力されたコマンドはＣＰＵ３２１に供給される。ＣＰＵ３２１によりコマンドが解釈され、その結果に応じた処理が行われる。
【００７７】
ＧＵＩ処理部３３０は、ＧＵＩを生成する処理等を行う。ＧＵＩ３３０処理部により生成されたＧＵＩのデータは、例えば、ＨＤＭＩ端子３０４を介してテレビジョン装置２００に出力され、テレビジョン装置２００の表示パネル２１６に表示される。ユーザは、表示パネル２１６に表示されるＧＵＩに対して、テレビジョン装置２００のリモコン装置を使用した操作を行うことができる。さらに、ＧＵＩ処理部３３０は、ＨＤＭＩ端子３０１等から入力されるコマンドに応じてＧＵＩの内容を更新し、更新したＧＵＩを、ＨＤＭＩ端子３０４を介してテレビジョン装置２００に出力する。
【００７８】
セレクタ３１６は、ＨＤＭＩ受信部３０７から供給される音声データ、変換部３１０から供給される音声データまたはＡ／Ｄ変換器３１５から供給される音声データを選択的に取り出し、ＤＳＰ３１７に供給する。
【００７９】
ＤＳＰ３１７は、セレクタ３１６で得られた音声データを処理して、例えば、５．１ｃｈのサラウンドを実現するための各チャネルの音声データを生成する処理、所定の音場特性を付与する処理、デジタル信号をアナログ信号に変換する処理等を行う。音声増幅回路３１８は、ＤＳＰ３１７から出力されるフロントレフト音声信号ＳFL、フロントライト音声信号ＳFR、フロントセンタ音声信号ＳFCと、リアレフト音声信号ＳRL、リアライト音声信号ＳRRおよびサブウーファ音声信号Ｓswを増幅して、音声出力端子３１９ａ〜３１９ｆに出力する。
【００８０】
なお、図示は省略しているが、音声出力端子３１９ａ〜３１９ｆには、スピーカ群３５０を構成するフロントレフトスピーカ、フロントライトスピーカ、フロントセンタースピーカ、リアレフトスピーカ、リアライトスピーカおよびサブウーファスピーカが接続されている。
【００８１】
ＡＶアンプ３００の動作の一例を概略的に説明する。ＨＤＭＩ受信部３０７では、ＨＤＭＩケーブルを介してＨＤＭＩ端子３０１〜３０３に入力されるベースバンドの映像および音声のデータが得られる。この映像および音声データは、ＨＤＭＩ送信部３０８に供給され、ＨＤＭＩ端子３０４に接続されたＨＤＭＩケーブルに送出される。
【００８２】
ＨＤＭＩ受信部３０７で得られる音声データは、セレクタ３１６に供給される。セレクタ３１６では、ＨＤＭＩ受信部３０７から供給される音声データ、変換部３１０から供給される音声データまたはＡ／Ｄ変換器３１５から供給される音声データが選択的に取り出され、ＤＳＰ３１７に供給される。
【００８３】
ＤＳＰ３１７では、音声データに対して、５．１ｃｈサラウンドを実現するための各チャネルの音声データを生成する処理、所定の音場特性を付与する処理、デジタル信号をアナログ信号に変換する処理等の必要な処理が施される。ＤＳＰ３１７から出力される各チャネルの音声信号は音声増幅回路３１８を介して音声出力端子３１９ａ〜３１９ｆに出力される。
【００８４】
例えば、ＡＶシステム１００において、テレビジョン装置２００のデジタルチューナ２１１で選局された番組の視聴を行う場合であって、ＡＶアンプ３００がシステムオーディオモードＯＮの状態にあるときには、以下のような動作となる。すなわち、セレクタ３１６では変換部３１０からの音声データが取り出される。これにより、音声出力端子３１９ａ〜３１９ｆには、テレビジョン装置２００のデジタルチューナ２１１で選局された番組の音声データに係る各チャネルの音声信号が出力される。そのため、ＡＶアンプ３００に接続されているスピーカ群３５０からは、テレビジョン装置２００のデジタルチューナ２１１で選局された番組の音声が出力される。
【００８５】
なお、テレビジョン装置２００のデジタルチューナ２１１で選局された番組の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【００８６】
例えば、ＡＶシステム１００において、ＢＤレコーダ４００からの映像データ、音声データによる画像、音声の視聴を行う場合であって、ＡＶアンプ３００がシステムオーディオモードＯＮの状態にあるときには、以下のような動作となる。すなわち、ＨＤＭＩスイッチャ３０６によりＨＤＭＩ端子３０１がＨＤＭＩ受信部３０７に接続される。また、セレクタ３１６ではＨＤＭＩ受信部３０７からの音声データが取り出される。これにより、音声出力端子３１９ａ〜３１９ｆには、ＢＤレコーダ４００からの音声データに係る各チャネルの音声信号が出力される。そのため、ＡＶアンプ３００に接続されているスピーカ群３５０からは、ＢＤレコーダ４００からの音声データによる音声が出力される。
【００８７】
なお、ＢＤレコーダ４００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【００８８】
例えば、ＡＶシステム１００において、ＤＶＤプレーヤ５００からの映像データ、音声データによる画像、音声の視聴を行う場合であって、ＡＶアンプ３００がシステムオーディオモードＯＮの状態にあるときには、以下のような動作となる。すなわち、ＨＤＭＩスイッチャ３０６によりＨＤＭＩ端子３０２がＨＤＭＩ受信部３０７に接続される。また、セレクタ３１６ではＨＤＭＩ受信部３０７からの音声データが取り出される。これにより、音声出力端子３１９ａ〜３１９ｆには、ＤＶＤプレーヤ５００からの音声データに係る各チャネルの音声信号が出力される。そのため、ＡＶアンプ３００に接続されているスピーカ群３５０からは、ＤＶＤプレーヤ５００からの音声データによる音声が出力される。
【００８９】
なお、ＤＶＤプレーヤ５００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【００９０】
上述したように、ＡＶアンプ３００には「Tuner」の論理アドレス｛３｝が割り当てら れる。これにより、ＡＶアンプ３００をあたかも、ソース機器として扱うことが可能となる。ソース機器として扱うことが可能となるため、例えば、ＧＵＩ処理部３３０により生成されるＧＵＩをテレビジョン装置２００に出力することによってＧＵＩをテレビジョン装置２００の表示パネル２１６に表示し、テレビジョン装置２００のリモートコントロール装置を使用して、ＧＵＩを操作することが可能となる。なお、詳細については後述する。
【００９１】
１−６．ＨＤＭＩ送信部およびＨＤＭＩ受信部の構成
図７は、ＨＤＭＩ送信部（ＨＤＭＩ送信部３０８、ＨＤＭＩ送信部４０２）と、ＨＤＭＩ受信部（ＨＤＭＩ受信部２０５、ＨＤＭＩ受信部３０７）の構成の一例を示す。
【００９２】
ＨＤＭＩ送信部（ＨＤＭＩソース）は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部（ＨＤＭＩシンク）に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部に一方向に送信する。
【００９３】
すなわち、ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【００９４】
さらに、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブルを介して接続されているＨＤＭＩ受信部に、一方向にシリアル伝送する。
【００９５】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【００９６】
ＨＤＭＩ受信部は、アクティブビデオ区間において、複数のチャネルで、ＨＤＭＩ送信部から一方向に送信されてくる、画素データに対応する差動信号を受信する。また、ＨＤＭＩ受信部は、水平帰線区間または垂直帰線区間において、複数のチャネルで、ＨＤＭＩ送信部から一方向に送信されてくる、音声データや制御データに対応する差動信号を受信する。
【００９７】
すなわち、ＨＤＭＩ受信部は、レシーバ８２を有する。レシーバ８２は、ＴＭＤＳチャネル＃０，＃１，＃２で、ＨＤＭＩケーブルを介して接続されているＨＤＭＩ送信部から一方向に送信されてくる、画素データに対応する差動信号と、音声データや制御データに対応する差動信号を、同じくＨＤＭＩ送信部からＴＭＤＳクロックチャネルで送信されてくるピクセルクロックに同期して受信する。
【００９８】
ＨＤＭＩ送信部とＨＤＭＩ受信部とからなるＨＤＭＩシステムの伝送チャネルには、ＨＤＭＩ送信部からＨＤＭＩ受信部に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００９９】
ＤＤＣ８３は、ＨＤＭＩケーブルに含まれる図示せぬ２本の信号線からなり、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。
【０１００】
すなわち、ＨＤＭＩ受信部は、レシーバ８２の他に、自身の性能（Configuration/capability）に関する性能情報であるＥ−ＥＤＩＤを記憶している、ＥＤＩＤ ＲＯＭ(Read Only Memory)８５を有している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出し、そのＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【０１０１】
ＣＥＣライン８４は、ＨＤＭＩケーブルに含まれる図示せぬ１本の信号線からなり、ＨＤＭＩ送信部とＨＤＭＩ受信部との間で、制御用のデータ（コマンド）の双方向通信を行うのに用いられる。
【０１０２】
さらに、ＨＤＭＩケーブルには、ＨＰＤ（Hot Plug Detect）と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【０１０３】
１−７．ＨＤＭＩトランスミッタおよびＨＤＭＩレシーバの構成
図８は、トランスミッタ８１とレシーバ８２の構成の一例を示す。
【０１０４】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。
【０１０５】
ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【０１０６】
補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【０１０７】
制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【０１０８】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１０９】
エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１１０】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１１１】
エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１１２】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１１３】
エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１１４】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１１５】
リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１１６】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１１７】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１１８】
図９は、ＨＤＭＩの３つのＴＭＤＳチャネル＃０，＃１，＃２で各種の伝送データが伝送される伝送区間（期間）の一例を示す。なお、図９では、ＴＭＤＳチャネル＃０，＃１，＃２において、横×縦が７２０×４８０画素のプログレッシブの画像が伝送される場合の、各種の伝送データの区間が示されている。
【０１１９】
ＨＤＭＩの３つのＴＭＤＳチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【０１２０】
ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【０１２１】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【０１２２】
データアイランド区間およびコントロール区間は、水平ブランキング期間および垂直ブランキング期間に割り当てられる。このデータアイランド区間およびコントロール区間では、補助データ（Auxiliary data）が伝送される。
【０１２３】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１２４】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１２５】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【０１２６】
１−８．ＨＤＭＩのピン配列について
図１０は、ＨＤＭＩ端子のピン配列の一例を示している。このピン配列は、タイプＡ（type-A）の例である。
【０１２７】
ＴＭＤＳチャネル＃ｉの差動信号であるＴＭＤＳ Ｄａｔａ＃ｉ＋とＴＭＤＳ Ｄａｔａ＃ｉ−が伝送される差動線である２本のラインは、ＴＭＤＳ Ｄａｔａ＃ｉ＋が割り当てられているピン（ピン番号が１，４，７のピン）と、ＴＭＤＳ Ｄａｔａ＃ｉ−が割り当てられているピン（ピン番号が３，６，９のピン）に接続される。
【０１２８】
制御用のデータであるＣＥＣ信号が伝送されるＣＥＣライン８４は、ピン番号が１３であるピンに接続され、ピン番号が１４のピンは空き（Reserved）ピンとなっている。Ｅ−ＥＤＩＤ等のＳＤＡ（Serial Data）信号が伝送されるラインは、ピン番号が１６であるピンに接続され、ＳＤＡ信号の送受信時の同期に用いられるクロック信号であるＳＣＬ（Serial Clock）信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１２９】
上述したようにソース機器がシンク機器の接続を検出するためのライン８６は、ピン番号が１９であるピンに接続される。上述したように電源を供給するためのライン８７は、ピン番号が１８であるピンに接続される。
【０１３０】
ここで、システムをより一般化した場合におけるＨＤＭＩネットワークの接続の一例について説明する。図１１は、ソース機器１０と、リピータ機器２０と、シンク機器３０とがＨＤＭＩケーブルで接続された場合における要部の構成の一例を示している。
【０１３１】
ＨＤＭＩケーブルは、映像と音声のデータを差動方式で伝送するためのＴＭＤＳラインと、機器間で共通の制御信号（ＣＥＣメッセージ）を伝送する双方向バスであるＣＥＣラインとを含んでいる。
【０１３２】
ソース機器１０は、例えば、ＡＶシステム１００のＢＤレコーダ４００、ＤＶＤプレーヤ５００等に対応する。ソース機器１０は、制御部１１と、ＨＤＭＩトランスミッタ１２と、ＣＥＣインタフェース１３とを有している。ここで、制御部１１は、例えば、ＢＤレコーダ４００のＣＰＵ４２１、フラッシュＲＯＭ４２２、ＤＲＡＭ４２３に対応している。また、ＨＤＭＩトランスミッタ１２およびＣＥＣインタフェース１３は、例えば、ＢＤレコーダ４００のＨＤＭＩ送信部４０２に対応している。
【０１３３】
リピータ機器２０は、例えば、ＡＶシステム１００のＡＶアンプ３００に対応する。リピータ機器２０は、制御部２１と、ＨＤＭＩレシーバ２２と、ＨＤＭＩトランスミッタ２３と、ＣＥＣインタフェース２４とを有している。ここで、制御部２１は、例えば、ＡＶアンプ３００のＣＰＵ３２１、フラッシュＲＯＭ３２２、ＤＲＡＭ３２３に対応している。また、ＨＤＭＩレシーバ２２、ＨＤＭＩトランスミッタ２３およびＣＥＣインタフェース２４は、例えば、ＡＶアンプ３００のＨＤＭＩ受信部３０７およびＨＤＭＩ送信部３０８に対応している。
【０１３４】
シンク機器３０は、例えば、ＡＶシステム１００のテレビジョン装置２００に対応する。シンク機器３０は、制御部３１と、ＨＤＭＩレシーバ３２と、ＣＥＣインタフェース３３と、リモコン受信部３４と、リモコン送信部３５とを有している。ここで、制御部３１は、例えば、テレビジョン装置２００のＣＰＵ２３１、フラッシュＲＯＭ２３２、ＤＲＡＭ２３３に対応している。
【０１３５】
ＨＤＭＩレシーバ３２およびＣＥＣインタフェース３３は、例えば、テレビジョン装置２００のＨＤＭＩ受信部２０５に対応している。リモコン受信部３４およびリモコン送信部３５は、テレビジョン装置２００のリモコン受信部２３４およびリモコン送信部２３５に対応している。
【０１３６】
ソース機器１０のＨＤＭＩトランスミッタ１２とリピータ機器２０のＨＤＭＩレシーバ２２とはＴＭＤＳラインにより接続されている。また、リピータ機器２０のＨＤＭＩトランスミッタ２３とシンク機器３０のＨＤＭＩレシーバ３２とはＴＭＤＳラインにより接続されている。また、ソース機器１０、リピータ機器２０およびシンク機器３０のＣＥＣインタフェース１３，２４，３３は、ＣＥＣラインにより共通に接続されている。このようにソース機器１０、リピータ機器２０およびシンク機器３０はＣＥＣラインで共通に接続されているので、シンク機器３０のリモコン送信部３５により、当該ＣＥＣラインを通じて、リピータ機器２０およびソース機器１０の操作が可能となる。
【０１３７】
図１２は、ＣＥＣライン（ＣＥＣチャネル）で伝送されるデータのブロック構成を示している。ＣＥＣラインでは、スタートビットが４．５ｍ秒、移行の２４ｍ秒のヘッダブロックとデータブロック（×ｎ）で伝送される構成とされている。データ伝送開始時には、スタートビットが配置され、それに続いて、ヘッダブロックが配置され、その後に、実際に伝送したいデータが含まれる任意の個数（ｎ個）のデータブロックが配置される。ヘッダブロックには、送信元の論理アドレス（ソースアドレス）と、送信先の論理アドレス（シンクアドレス）とが配置される。
【０１３８】
１−９．各機器の動作
次に、ＡＶアンプ３００を含む、各機器の種々の動作の一例について説明する。
【０１３９】
１−９−１．論理アドレスを取得する動作
ＡＶアンプが論理アドレスを取得する動作の一例について説明する。論理アドレスの取得は、例えば、ＨＤＭI−ＣＥＣの設定がオンにされた場合やＨＰＤ信号の信号レベルがＬ（Low）からＨ(High)に変化した場合、ＨＤＭＩネットワークにおける物理アドレスを取得した場合などを契機として行われる。
【０１４０】
図１３は、一般的なＡＶアンプにより行われる、論理アドレスを取得する動作シーケンスの一例を示す。なお、テレビジョン装置（ＴＶ）には、論理アドレス｛０｝が割り当てられ、物理アドレス［０．０．０．０］が割り当てられている。ＢＤレコーダ４００には、論理アドレス｛１｝が割り当てられ、物理アドレス［１．１．０．０］が割り当てられている。ＤＶＤプレーヤ５００には、物理アドレス｛４｝が割り当てられ、物理アドレス［１．２．０．０］が割り当てられる。物理アドレスおよび論理アドレスの割り当てについては、特に断りがない限り、他の図における説明でも同様である。
【０１４１】
ステップＳ１において、ＡＶアンプは、物理アドレス［１．０．０．０］を取得する。そして、処理がステップＳ２に進む。ステップＳ２において、ポーリングが開始される。ポーリングでは、ＣＥＣメッセージ<Polling Message>が、ＡＶアンプから各機器に対してＣＥＣラインを介して伝送される。なお、ＣＥＣメッセージは、メッセージ、ＣＥＣコマンド、コマンドなどとも称される。
【０１４２】
なお、図中の「Init」は「Initiator」の略であり、ＣＥＣメッセージの送信側の装置を示す。図中の「dest」は「Destination」の略であり、ＣＥＣメッセージの受信側の装置を示す。すなわち、Init=5,Dest=5のＣＥＣメッセージ<Polling Message>がＡＶアンプから各機器に出力される。この例では、論理アドレス｛５｝は、どの機器にも割り当てられていない。したがって、ＣＥＣメッセージ<Polling Message>に対する応答であるＣＥＣメッセージ<Ack>がＡＶアンプに通知されることがない。ＡＶアンプは、自身の論理アドレス｛５｝を決定する（ステップＳ３）。論理アドレス｛５｝のデバイスタイプは、Audio Systemに対応する（図３参照）。そして、処理がステップＳ４に進む。
【０１４３】
ステップＳ４において、ＡＶアンプは、ＣＥＣメッセージ<Report Physical Address>を各機器（テレビジョン装置、ＢＤレコーダ、ＤＶＤプレーヤ）に出力し、自身の物理アドレス［１．０．０．０］と論理アドレス｛５｝とを各機器に通知する。なお、Dest=15の意味は、全てに機器に対するブロードキャスト送信を含む意味である（図３参照）。
【０１４４】
図１４は、本開示におけるＡＶアンプにより行われる、論理アドレスを取得する動作シーケンスの一例を示す。ＡＶアンプ３００は、一般的なＡＶアンプと同様に物理アドレス［１．０．０．０］を取得し、第１の論理アドレスの一例である、論理アドレス｛５｝を取得する（ステップＳ１０〜ステップＳ１４までの処理）。さらに、ＡＶアンプ３００は、第２の論理アドレスを取得する。第２の論理アドレスは、例えば、論理アドレス｛３｝である。論理アドレス｛３｝は、予めＡＶアンプ３００にプリセットされており、ＡＶアンプ３００は、このプリセットされた論理アドレスの取得を試みる。
【０１４５】
ステップＳ１５において、ＡＶアンプ３００はポーリングを開始し、Init=3,Dest=3のＣＥＣメッセージ<Polling Message>を各機器に出力する。この例では、論理アドレス｛３｝は、どの機器にも割り当てられていない。したがって、ＣＥＣメッセージ<Polling Message>に対する応答であるＣＥＣメッセージ<Ack>は、ＡＶアンプ３００に通知されない。ＡＶアンプ３００は、自身の論理アドレス｛３｝を決定する（ステップＳ１６）。論理アドレス｛３｝のデバイスタイプは、Tunerに対応する（図３参照）。
【０１４６】
ステップＳ１７において、ＡＶアンプは、ＣＥＣメッセージ<Report Physical Address>を各機器（テレビジョン装置、ＢＤレコーダ、ＤＶＤプレーヤ）に出力し、自身の物理アドレス［１．０．０．０］と論理アドレス｛３｝とを各機器に通知する。これにより、ＡＶアンプ３００は、論理アドレス｛３｝を取得する。なお、論理アドレス｛３｝が既に使用されている場合には、他の論理アドレス（例えば、論理アドレス｛６｝）の取得を試みるようにしてもよい。
【０１４７】
１−９−２．ＢＤレコーダ４００を起動させる動作
図１５は、ＢＤレコーダ４００を起動（ＯＮ）させる動作シーケンスの一例を示す。なお、テレビジョン装置２００およびＡＶアンプ３００の電源の状態はオンであり、ＢＤレコーダ４００およびＤＶＤプレーヤ５００の電源の状態はオフである。
【０１４８】
ステップＳ２１において、論理アドレス｛１｝の機器を選択する操作がなされる。すなわち、ＢＤレコーダ４００をオンする操作がなされる。この操作は、例えば、テレビジョン装置２００のリモコン送信部２３５を使用して行われる。そして、ステップＳ２２の処理が行われる。
【０１４９】
ステップＳ２２では、ＣＥＣメッセージ<Set Stream Path>[1.1.0.0]をＣＥＣラインに出力する。ＣＥＣメッセージ<Set Stream Path>は、信号の経路（パス）の切り換え先を示すメッセージ（コマンド）である。例えば、ＣＥＣメッセージ<Set Stream Path>[1.1.0.0]は、ＨＤＭＩ信号の供給先を物理アドレス[1.1.0.0]の機器にすることを示す。そして、処理がステップＳ２３に進む。
【０１５０】
ＣＥＣメッセージ<Set Stream Path>[1.1.0.0]を受信したＢＤレコーダ４００（物理アドレスは[１．１．０．０]）は、アクティブソース機器となる。ステップＳ２３において、ＣＥＣメッセージ<Set Stream Path>[1.1.0.0]を受信したＢＤレコーダ４００は、電源をオンする処理を行う。そして、処理がステップＳ２４〜ステップＳ２６に進む。なお、以下に説明するステップＳ２４〜ステップＳ２６の処理の順序は、適宜、変更できる。
【０１５１】
ステップＳ２４おいて、ＣＥＣメッセージ<Text View On>がＢＤレコーダ４００からテレビジョン装置２００に対して出力される。ＣＥＣメッセージ<Text View On>は、文字や画像を表示するためのＣＥＣメッセージである。さらに、ステップＳ２６において、ＣＥＣメッセージ<Menu Status>がＢＤレコーダ４００からテレビジョン装置２００に対して出力される。ＣＥＣメッセージ<Menu Status>は、その機器の状態を示すものであり、テレビジョン装置によってはテレビジョン装置からのメニュー操作の開始を判断するのに使用されるＣＥＣメッセージである。ＣＥＣメッセージ<Active Source>およびＣＥＣメッセージ<Menu Status>がテレビジョン装置２００に対して出力されることにより、テレビジョン装置２００においてＢＤレコーダ４００のメニュー画面等の操作が可能となる。
【０１５２】
ＣＥＣメッセージ<Set Stream Path>[1.1.0.0]を受信したＢＤレコーダ４００は、アクティブソース機器となる。ステップＳ２５において、ＢＤレコーダ４００は、ＣＥＣメッセージ<Active Source>[1.1.0.0]をＣＥＣラインに出力して、自身がアクティブソース機器であることを各機器に宣言する。
【０１５３】
図１６は、ＢＤレコーダ４００を起動（ＯＮ）させる詳細な動作の一例のシーケンスを示す。ステップＳ３１では、論理アドレス｛１｝の機器（ＢＤレコーダ４００）が選択される。例えば、テレビジョン装置２００のリモコン送信部２３５を使用して、ＢＤレコーダ４００を選択する操作がなされる。ＢＤレコーダ４００を選択する操作は、例えば、所定ボタンを押下する操作（プレス操作）と押下する操作を解除する操作（リリース操作）とを含む操作である。そして、処理がステップＳ３２に進む。
【０１５４】
ステップＳ３２では、ＣＥＣメッセージ<Give Device Power Status>がテレビジョン装置２００からＢＤレコーダ４００に出力され、ＢＤレコーダ４００の現在の電源状態が確認される。そして、処理がステップＳ３３に進む。
【０１５５】
ステップＳ３３において、ＣＥＣメッセージ<Give Device Power Status>が供給されたＢＤレコーダ４００は、自身の現在の電源の状態を示すＣＥＣメッセージ<Report Power Status>をテレビジョン装置２００に対して出力する。ここでは、ＢＤレコーダ４００の電源はオフであることから、ＣＥＣメッセージ<Report Power Status>[Standby]がテレビジョン装置２００に対して出力される。そして、処理がステップＳ３４に進む。
【０１５６】
ステップＳ３４では、ＢＤレコーダ４００の電源をオンするためのボタンが押下されたことを示すＣＥＣメッセージ<User Control Pressed>が、テレビジョン装置２００からＢＤレコーダ４００に対して出力される。そして、処理がステップＳ３５に進む。ステップＳ３５では、当該ボタンの押下が解除されたことを示すＣＥＣメッセージ<User Control Released>が、テレビジョン装置２００からＢＤレコーダ４００に対して出力される。そして、処理がステップＳ３６に進む。
【０１５７】
ステップＳ３６では、ＢＤレコーダ４００において、電源をオンする処理が行われる。そして、処理がステップＳ３７およびステップＳ３８に進む。
【０１５８】
ステップＳ３７およびステップＳ３８では、再度、ＣＥＣメッセージ<User Control Pressed>およびＣＥＣメッセージ<User Control Released>がテレビジョン装置２００からＢＤレコーダ４００に対して出力される。これは、ＢＤレコーダ４００の電源を確実にオンするために、確認的になされる処理である。ステップＳ３７およびステップＳ３８の処理は、行われなくてもよい。この例では、ステップＳ３６で既にＢＤレコーダ４００の電源がオンされているため、ステップＳ３７、３８で送信されるメッセージに応じた処理は行われない。そして、処理がステップＳ３８〜ステップＳ４０に進む。
【０１５９】
ステップＳ３８〜ステップＳ４０の処理は、図１５におけるステップＳ２４〜ステップＳ２６までの処理と同様の処理である。概略を説明すれば、ステップＳ３９では、ＣＥＣメッセージ<Text View On>がＢＤレコーダ４００からテレビジョン装置２００に対して出力される。ステップＳ４０において、ＢＤレコーダ４００は、ＣＥＣメッセージ<Active Source>[1.1.0.0]をＣＥＣラインに出力して、自身がアクティブソース機器であることを各機器に宣言する。ステップＳ４１において、ＣＥＣメッセージ<Menu Status>がＢＤレコーダ４００からテレビジョン装置２００に対して出力される。これらのステップＳ３８〜ステップＳ４０の処理の順序は、適宜、変更できる。
【０１６０】
なお、ステップＳ４０において、ＣＥＣメッセージ<Active Source>[1.1.0.0]が各機器に送信されるため、テレビジョン装置２００の処理としてテレビジョン装置２００から各機器に対して、ＣＥＣメッセージ<Set Stream Path>[1.1.0.0]は送信されない。
【０１６１】
１−９−３．入力の切り換えがなされた際の動作
図１７は、入力の切り換えがなされた際の動作シーケンスの一例を示す。例えば、テレビジョン装置２００をＡＶアンプ３００により視聴している際に、ＡＶアンプ３００の入力をテレビジョン装置２００からＢＤレコーダ４００に切り替えた動作のシーケンスである。当初のアクティブソース機器は、テレビジョン装置２００として説明する。
【０１６２】
ステップＳ５１では、論理アドレス｛１｝の機器（ＢＤレコーダ４００）をオンし、入力をテレビジョン装置２００からＢＤレコーダ４００に切り替える操作が行われる。そして、処理がステップＳ５２に進む。
【０１６３】
ステップＳ５２からステップＳ５８までの処理は、図１６におけるステップＳ３２からステップＳ３８と同様の処理であるため、概略的な説明にとどめる。ステップＳ５２では、テレビジョン装置２００からＢＤレコーダ４００に対して、ＣＥＣメッセージ<Give Device Power Status>が出力され、ＢＤレコーダ４００の現在の電源状態が確認される。
【０１６４】
ステップＳ５３において、ＣＥＣメッセージ<Give Device Power Status>が供給されたＢＤレコーダ４００は、自身の現在の電源の状態を示すＣＥＣメッセージ<Report Power Status>をテレビジョン装置２００に対して出力する。ここでは、ＢＤレコーダ４００の電源はオフであることから、ＣＥＣメッセージ<Report Power Status>[Standby]がテレビジョン装置２００に対して出力される。
【０１６５】
ステップＳ５４では、ＢＤレコーダ４００の電源をオンするためのボタンが押下されたことを示すＣＥＣメッセージ<User Control Pressed>が、テレビジョン装置２００からＢＤレコーダ４００に対して出力される。ステップＳ５５では、当該ボタンの押下が解除されたことを示すＣＥＣメッセージ<User Control Released>が、テレビジョン装置２００からＢＤレコーダ４００に対して出力される。ステップＳ５６では、ＢＤレコーダ４００において、電源をオンする処理が行われる。
【０１６６】
ステップＳ５７およびステップＳ５８では、ＣＥＣメッセージ<User Control Pressed>およびＣＥＣメッセージ<User Control Released>が、テレビジョン装置２００からＢＤレコーダ４００に対して、確認的に出力される。そして、処理がステップＳ５９に進む。
【０１６７】
ステップＳ５９において、テレビジョン装置２００は、ＣＥＣメッセージ<Set Stream Path>[1.1.0.0]をＣＥＣラインに出力し、ＣＥＣメッセージ<Set Stream Path>[1.1.0.0]を各機器に通知する。ＣＥＣメッセージ<Set Stream Path>[1.1.0.0]により、テレビジョン装置２００の入力がＢＤレコーダ４００に切り換えることが各機器に通知される。そして、処理がステップＳ６０に進む。
【０１６８】
ステップＳ６０では、ＢＤレコーダ４００において再生を開始する処理が行われる。そして、処理がステップＳ６１〜ステップＳ６３に進む。
【０１６９】
ステップＳ６１では、ＣＥＣメッセージ<Text View On>がＢＤレコーダ４００からテレビジョン装置２００に対して出力される。ステップＳ６２において、ＢＤレコーダ４００は、ＣＥＣメッセージ<Active Source>[1.1.0.0]をＣＥＣラインに出力して、自身がアクティブソース機器であることを各機器に宣言する。ステップＳ６３において、ＣＥＣメッセージ<Menu Status>がＢＤレコーダ４００からテレビジョン装置２００に対して出力される。これらのステップＳ６１〜ステップＳ６３の処理の順序は、適宜、変更できる。
【０１７０】
なお、図示は省略しているが、ＡＶアンプ３００は、ＣＥＣメッセージ<Active Source>[1.1.0.0]を受信すると、メッセージの送信元（ＢＤレコーダ４００）の論理アドレスおよび物理アドレスをＤＲＡＭ３２３に記憶する。
【０１７１】
１−９−４．電源をオンした場合のＡＶアンプの動作
図１８は、一般的なＡＶアンプの電源がオンされた場合の、ＡＶアンプの動作シーケンスの一例を示す。なお、テレビジョン装置の電源はオンであり、ＡＶアンプ、ＢＤレコーダおよびＤＶＤプレーヤの電源はオフである。
【０１７２】
ステップＳ７０において、ＡＶアンプの電源をオンする操作が行われる。この操作は、例えば、ＡＶアンプのリモコン装置を使用してなされる。そして、処理がステップＳ７１に進む。ステップＳ７１において、ＡＶアンプの電源をオンする処理が行われる。そして、処理がステップＳ７２に進む。
【０１７３】
ステップＳ７２において、ＡＶアンプは、論理アドレス｛５｝の（再）取得のためのＣＥＣメッセージ<Polling Message>を各機器に対して出力する。ＣＥＣメッセージ<Polling Message>に対するＣＥＣメッセージ<Ack>がＡＶアンプに対して入力されない場合は、処理がステップＳ７３に進み、ＡＶアンプは、論理アドレス｛５｝を取得する。そして、処理がステップＳ７４に進む。ステップＳ７４において、ＡＶアンプはＣＥＣメッセージ<Report Physical Address>を各機器に対して出力し、自身の物理アドレスと論理アドレスとを各機器に通知する。そして、処理がステップＳ７５に進む。
【０１７４】
ステップＳ７５では、ＡＶアンプは、入力の変更を行うためのＣＥＣメッセージ<Routing Change>[1.0.0.0]→[1.1.0.0]を各機器に対して出力する。このＣＥＣメッセージを受信したテレビジョン装置２００は、物理アドレス[１．０．０．０]により示されるＢＤレコーダに入力を変更する。なお、入力の切り換え先は、適宜、設定されるものであり、ＢＤレコーダ以外の機器の物理アドレスが規定される場合もある。このように、ＡＶアンプは、電源をオンされるとＣＥＣメッセージ<Routing Change>を各機器に対して出力する。
【０１７５】
なお、図１４を使用して説明したように、本開示におけるＡＶアンプ３００は、少なくとも２つの論理アドレスを取得する。ＡＶアンプ３００は、例えば、論理アドレス｛３｝(Tuner1)と論理アドレス｛５｝(Audio System)とを取得する。ＡＶアンプ３００におけるＣＥＣメッセージ<Routing Change>の出力の処理については、後述する。
【０１７６】
１−９−５．電源がオン時のＡＶアンプの動作
図１９は、電源がオン時のＡＶアンプの動作シーケンスの一例を示す。なお、テレビジョン装置２００、ＡＶアンプ３００およびＢＤレコーダ４００の電源はオンであり、ＤＶＤプレーヤ５００の電源はオフである。ＡＶアンプ３００は、既に、論理アドレス｛３｝および論理アドレス｛５｝を取得しているものとして説明する。さらに、現在の操作対象の機器、すなわち、アクティブソース機器がＢＤレコーダ４００として説明する。
【０１７７】
ステップＳ８０では、ＡＶアンプ３００のリモコン装置が使用されて、ＡＶアンプ３００のＧＵＩを起動させるためのボタン（適宜、ＧＵＩボタンと称する）が押下される。そして、処理がステップＳ８１に進む。ステップＳ８１では、ＡＶアンプ３００のＧＵＩ処理部３３０が処理を開始する。そして、処理がステップＳ８２〜ステップＳ８４に進む。
【０１７８】
ステップＳ８２において、ＡＶアンプ３００は、ＣＥＣメッセージ<Text View On>をテレビジョン装置２００に出力し、さらに、ステップＳ８４において、ＣＥＣメッセージ<Menu Status>をテレビジョン装置２００に出力する。さらに、ステップＳ８３おいて、Ａ Ｖアンプ３００は、各機器にＣＥＣメッセージ<Active Source>を出力し、自身がアクテ ィブソース機器であることを宣言する。これにより、操作対象がＢＤレコーダ４００からＡＶアンプ３００に切り換わる（ステップＳ８５）。具体的には、ＡＶアンプ３００のＧＵＩ処理部３３０により生成されたＧＵＩがテレビジョン装置２００に対して出力され、テレビジョン装置２００の表示パネル２１６に表示される。表示されたＧＵＩに対する操作が適宜、なされる。そして、処理がステップＳ８６に進む。
【０１７９】
ステップＳ８６では、ＧＵＩを閉じる操作、もしくは、ＧＵＩを使用した所定の選択操作がなされる。例えば、ＢＤレコーダ４００を選択する操作がなされる。そして、処理がステップＳ８７に進む。
【０１８０】
ステップＳ８７において、ＡＶアンプ３００は、ＣＥＣメッセージ<Routing Change>[1.0.0.0]→[1.1.0.0]を各機器に出力する。そして、処理がステップＳ８８に進む。
【０１８１】
ＣＥＣメッセージ<Routing Change>[1.0.0.0]→[1.1.0.0]を受信したテレビジョン装置２００は、入力をＢＤレコーダ４００に変更する処理を行う。ステップＳ８８において、テレビジョン装置２００は、ＢＤレコーダ４００に対してＣＥＣメッセージ<Give Device Power Status>を出力し、ＢＤレコーダ４００の電源の状態を確認する。そして、処理がステップＳ８９に進む。
【０１８２】
この例では、ＢＤレコーダ４００の電源は既にオンであることから、ステップＳ８９において、ＢＤレコーダ４００は、ＣＥＣメッセージ<Report Power Status>[On]をテレビジョン装置２００に対して出力する。そして、処理がステップＳ９０に進む。
【０１８３】
ステップＳ９０において、ＣＥＣメッセージ<Report Power Status>[On]を受信したテレビジョン装置２００は、ＣＥＣメッセージ<Set Stream Path>[1.1.0.0]を各機器に対して出力する。そして、処理がステップＳ９１に進む。
【０１８４】
ステップＳ９１において、ＣＥＣメッセージ<Set Stream Path>[1.1.0.0]を受信したＢＤレコーダ４００がアクティブソース機器となり、ステップＳ９２からステップＳ９４までの処理が行われる。
【０１８５】
ステップＳ９２およびステップＳ９４では、ＢＤレコーダ４００からテレビジョン装置２００に対してＣＥＣメッセージ<Text View On>およびＣＥＣメッセージ<Menu Status>が送信される。さらに、ステップＳ９３において、ＢＤレコーダ４００は、ＣＥＣメッセージ<Active Source>を各機器に対して出力し、自身がアクティブソース機器であることを宣言する。これにより、テレビジョン装置２００の表示パネル２１６には、ＢＤレコーダ４００の操作画面やＢＤレコーダ４００から出力された映像等が表示される。
【０１８６】
図２０は、電源がオン時のＡＶアンプの動作シーケンスの他の例を示す。図２０に示す例は、テレビジョン装置２００のリモコン送信部２３５を使用して、ＡＶアンプ３００を操作する例である。なお、図２０に示す例では、テレビジョン装置２００およびＡＶアンプ３００の電源はオンであり、ＢＤレコーダ４００およびＤＶＤプレーヤ５００の電源はオフである。
【０１８７】
ステップＳ１０１において、論理アドレス｛３｝の機器、すなわち、ＡＶアンプ３００を選択する操作がなされる。この操作は、テレビジョン装置２００のリモコン送信部２３５を使用して行われる。そして、処理がステップＳ１０２に進む。
【０１８８】
ステップＳ１０２において、テレビジョン装置２００はＡＶアンプ３００に対してＣＥＣメッセージ<Give Device Power Status>を出力し、ＡＶアンプ３００の電源の状態を確認する。そして、処理がステップＳ１０３に進む。
【０１８９】
この例では、ＡＶアンプ３００の電源は既にオンであることから、ステップＳ１０３において、ＡＶアンプ３００は、ＣＥＣメッセージ<Report Power Status>[On]をテレビジョン装置２００に対して出力する。そして、処理がステップＳ１０４に進む。
【０１９０】
ステップＳ１０４において、ＣＥＣメッセージ<Report Power Status>[On]を受信したテレビジョン装置２００は、ＣＥＣメッセージ<Set Stream Path>[1.0.0.0]を各機器に対して出力する。そして、処理がステップＳ１０５に進む。
【０１９１】
ステップＳ１０５において、ＣＥＣメッセージ<Set Stream Path>[1.0.0.0]を受信したＡＶアンプ３００はアクティブソース機器となり、ＧＵＩを表示する処理（ステップＳ１０６からステップＳ１０８までの処理）を行う。
【０１９２】
ステップＳ１０６およびステップＳ１０８では、ＡＶアンプ３００からテレビジョン装置２００に対してＣＥＣメッセージ<Text View On>およびＣＥＣメッセージ<Menu Status>が送信される。さらに、ステップＳ１０７において、ＡＶアンプ３００は、ＣＥＣメッセージ<Active Source>を各機器に対して出力し、自身がアクティブソース機器であることを宣言する。これにより、テレビジョン装置２００のモニタには、ＡＶアンプ３００により生成されたＧＵＩが表示される。そして、処理がステップＳ１０９に進む。
【０１９３】
ステップＳ１０９では、ＧＵＩを閉じる操作、もしくは、ＧＵＩを使用した所定の選択操作がなされる。例えば、ＢＤレコーダ４００を選択する操作がなされる。そして、処理がステップＳ１１０に進む。
【０１９４】
ステップＳ１１０において、ＡＶアンプ３００は、ＣＥＣメッセージ<Routing Change>[1.0.0.0]→[1.1.0.0]を各機器に出力する。ＣＥＣメッセージ<Routing Change>[1.0.0.0]→[1.1.0.0]を受信すると、テレビジョン装置２００はＣＥＣメッセージ<Set Stream Path>[1.1.0.0]を各機器に出力する。これにより、ＢＤレコーダ４００がアクティブソース機器となる。なお、アクティブソース機器とされる機器はＢＤレコーダ４００に限られず、適宜、設定できる。すなわち、ＣＥＣメッセージ<Routing Change>が出力された以降の操作の対象となる入力は状況に応じて異なる。一例としては、ＡＶアンプ３００がアクティブソース機器となる直前にＡＶアンプで選択していた入力の物理アドレス、または直前にアクティブソース機器であった機器の物理アドレスがＣＥＣメッセージ<Routing Change>により指定され、次のアクティブソース機器として設定される。
【０１９５】
１−９−６．電源がオフ時のＡＶアンプの動作
図２１は、一般的なＡＶアンプに２つの論理アドレスを割り当て、ＡＶアンプの電源をオンした場合の動作のシーケンスの一例を示す。なお、図２１に示す例では、テレビジョン装置およびＢＤレコーダの電源はオンであり、ＡＶアンプおよびＤＶＤプレーヤの電源はオフである。ＡＶアンプは、既に論理アドレス｛３｝および論理アドレス｛５｝を取得しているものとする。
【０１９６】
ステップＳ１２１では、論理アドレス｛３｝の機器（ＡＶアンプ）を選択する操作がなされる。例えば、テレビジョン装置のリモコン送信部２３５を使用して、ＡＶアンプを選択する操作がなされる。そして、処理がステップＳ１２２に進む。
【０１９７】
ステップＳ１２２では、テレビジョン装置からＡＶアンプに対してＣＥＣメッセージ<Give Device Power Status>が出力され、ＡＶアンプの現在の電源状態が確認される。そして、処理がステップＳ１２３に進む。
【０１９８】
ステップＳ１２３において、ＣＥＣメッセージ<Give Device Power Status>が供給されたＡＶアンプは、自身の現在の電源の状態を示すＣＥＣメッセージ<Report Power Status>をテレビジョン装置２００に対して出力する。ここでは、ＡＶアンプの電源はオフであることから、ＣＥＣメッセージ<Report Power Status>[Standby]がテレビジョン装置に対して出力される。そして、処理がステップＳ１２４に進む。
【０１９９】
ステップＳ１２４では、ＡＶアンプを選択するための操作に応じて、ボタンが押下されたことを示すＣＥＣメッセージ<User Control Pressed>が、テレビジョン装置からＡＶアンプに対して出力される。そして、処理がステップＳ１２５に進む。ステップＳ１２５では、当該ボタンの押下が解除されたことを示すＣＥＣメッセージ<User Control Released>が、テレビジョン装置からＡＶアンプに対して出力される。そして、処理がステップＳ１２６に進む。
【０２００】
ステップＳ１２６では、ＡＶアンプにおいて、電源をオンする処理が行われる。そして、処理がステップＳ１２７およびステップＳ１２８に進む。ステップＳ１２７およびステップＳ１２８では、再度、ＣＥＣメッセージ<User Control Pressed>およびＣＥＣメッセージ<User Control Released>がテレビジョン装置からＡＶアンプに対して出力される。これは、ＡＶアップの電源を確実にオンするために、確認的になされる処理である。この例では、ステップＳ１２６で既にＡＶアンプの電源がオンされているため、ステップＳ１２７、１２８のＣＥＣメッセージに応じた処理は行われない。そして、処理がステップＳ１２９に進む。
【０２０１】
ステップＳ１２９では、ＡＶアンプにより論理アドレスを再度、取得する処理が行われる。この処理は、図１４で説明した処理と同様にして行われる。ステップＳ１２９における処理により、ＡＶアンプは、論理アドレス｛３｝および論理アドレス｛５｝を、再度、取得する。そして、処理がステップＳ１３０に進む。
【０２０２】
図１８を参照して説明したように、一般的なＡＶアンプは、例えば、電源がオンされるとＣＥＣメッセージ<Routing Change>を各機器に出力する。ステップＳ１３０において、ＡＶアンプは、例えば、ＣＥＣメッセージ<Routing Change>[1.0.0.0]→[1.1.0.0]を各機器に出力する。このＣＥＣメッセージ<Routing Change>[1.0.0.0]→[1.1.0.0]によりＡＶアンプの入力は変更しないものの、<Set Stream Path>コマンドの送信先、すなわちステップＳ１２１で選択した機器が物理アドレス[1.1.0.0]の機器、すなわち、ＢＤレコーダに変更されてしまう。そして、処理がステップＳ１３１に進む。
【０２０３】
ＣＥＣメッセージ<Routing Change>[1.0.0.0]→[1.1.0.0]を受信したテレビジョン装置は、ＢＤレコーダに対してＣＥＣメッセージ<Give Device Power Status>を出力し、ＢＤレコーダの現在の電源が確認される。この例では、ＢＤレコーダの電源がオンであることから、ＣＥＣメッセージ<Report Power Status>[On]がテレビジョン装置に供給される。そして、処理がステップＳ１３３に進む。
【０２０４】
ステップＳ１３３では、テレビジョン装置から各機器に対してＣＥＣメッセージ<Set Stream Path>[1.1.0.0]が送信される。ここで、ステップＳ１３０において、既にＣＥＣメッセージ<Routing Change>[1.0.0.0]→[1.1.0.0]が出力されているため、ＣＥＣメッセージ<Set Stream Path>[1.0.0.0]ではなくＣＥＣメッセージ<Set Stream Path>[1.1.0.0]が出力される。そして、処理がステップＳ１３４からステップＳ１３７に進む。
【０２０５】
ＣＥＣメッセージ<Set Stream Path>[1.1.0.0]を受信したＢＤレコーダは、ＣＥＣメッセージ<Text View On>およびＣＥＣメッセージ<Menu Status>をテレビジョン装置に出力する（ステップＳ１３５およびステップＳ１３７）。さらに、ＣＥＣメッセージ<Set Stream Path>[1.1.0.0]を受信したＢＤレコーダは、ＣＥＣメッセージ<Active Source>[1.1.0.0]を各機器に対して出力し、自身がアクティブソース機器であることを宣言する。<Set Stream Path>がＡＶアンプではなく、ＢＤプレーヤ／レコーダに送られるため、ＡＶアンプにより生成されたＧＵＩが表示されることはない（ステップＳ１３４）。
【０２０６】
このように、一般的なＡＶアンプに対して２つの論理アドレスを割り当てるだけでは、テレビジョン装置のリモコン装置を使用して、ＡＶアンプのＧＵＩを表示させることができない。そこで、本開示におけるＡＶアンプ３００は、例えば、第２の論理アドレスの一例である論理アドレス｛３｝に対するＣＥＣメッセージによる起動に応じて、ＣＥＣメッセージ<Routing Change>を出力しないようにする。
【０２０７】
具体的には、ＡＶアンプ３００を起動させるためのＣＥＣメッセージ（例えば、ＣＥＣメッセージ<User Control Pressed>[Power]やＣＥＣメッセージ<User Control Pressed>[Power On Function]等）が特定の論理アドレス宛入力される場合や、パスを確立するためのＣＥＣメッセージ（例えば、ＣＥＣメッセージ<Set Stream Path>[1.0.0.0]等）が外部機器から入力される処理に応じて、ＡＶアンプ３００は、ＣＥＣメッセージ<Routing Change>を出力しないようにする。
【０２０８】
図２２は、本開示におけるＡＶアンプの電源をオンした場合の動作シーケンスの一例を示す。ステップＳ１４１からステップＳ１４８までの処理は、図２１におけるステップＳ１２１からステップＳ１２８までの処理と同様の処理であるため、重複した説明を省略する。ステップＳ１４９では、図１４を参照して説明した処理と同様の処理により、論理アドレスを取得する処理が行われる。ステップＳ１４９の処理により、ＡＶアンプ３００は、論理アドレス｛３｝および論理アドレス｛５｝を再度、取得する。
【０２０９】
ステップＳ１４４、Ｓ１４５、Ｓ１４７、Ｓ１４８の処理におけるＣＥＣメッセージは、第２の論理アドレスの一例である論理アドレス｛３｝に対するＣＥＣメッセージである。このため、ＡＶアンプ３００は、ステップＳ１４９の処理等のＡＶアンプの電源をオンする処理に応じて、ＣＥＣメッセージ<Routing Change>[1.0.0.0]→[1.1.0.0]を出力しない。そして、処理がステップＳ１５０に進む。
【０２１０】
ステップＳ１５０において、テレビジョン装置２００から各機器に対して、ＣＥＣメッセージ<Set Stream Path>[1.0.0.0]が出力される。<Routing Change>[1.0.0.0]→[1.1.0.0]がＡＶアンプ３００から出力されないため、<Set Stream Path>の送信先を正確にＡＶアンプ３００とすることができる。そして、処理がステップＳ１５１〜ステップＳ１５４に進む。
【０２１１】
ＣＥＣメッセージ<Set Stream Path>[1.0.0.0]を受信したＡＶアンプ３００は、ＣＥＣメッセージ<Text View On>およびＣＥＣメッセージ<Menu Status>をテレビジョン装置２００に対して出力する（ステップＳ１５２およびステップＳ１５４）。さらに、ＡＶアンプ３００は、ＣＥＣメッセージ<Active Source>[1.0.0.0]を各機器に対して出力し、自身がアクティブソース機器であることを宣言する。ＡＶアンプ３００がアクティブソース機器となることから、ＡＶアンプ３００のＧＵＩ処理部３３０で生成されたＧＵＩのグラフィクス信号がテレビジョン装置２００に対して供給され、テレビジョン装置２００の表示パネル２１６に当該ＧＵＩを表示させることができる。
【０２１２】
さらに、この状態でテレビジョン装置２００のリモコン送信部２３５を使用した操作を行うと、Remote Control Pass Through機能によりＣＥＣメッセージ<User Control Pressed>がテレビジョン装置２００からＡＶアンプ３００に供給される。このため、ユーザは、テレビジョン装置２００のリモコン送信部２３５を使用してＧＵＩに対する操作を行うことができる。
【０２１３】
なお、図２２では、図示を省略しているが、ＧＵＩを使用した操作が終了すると、ＡＶアンプ３００のＧＵＩ処理部３３０は、ＧＵＩを生成する処理を終了する。さらに、ＡＶアンプ３００は、図２０のステップＳ１１０と同様に、ＡＶアンプ３００はＣＥＣメッセージ<Routing Change>を各機器に対して出力する。すなわち、第１のメッセージが外部機器から入力されてから所定の期間、第２のメッセージを出力しない、もしくは、第１のメッセージが外部機器から入力されてから所定の処理（例えば、ＧＵＩが生成する処理）が終了するまでの間、第２のメッセージを出力しないようになされる。第１のメッセージが外部機器から入力される処理の後に、第２のメッセージを出力する処理が全面的に禁止されるものではない。
【０２１４】
１−１０．ＡＶアンプの処理
図２３から図２７のフローチャートを参照して、ＡＶアンプ３００のＧＵＩに関連する処理の流れの一例について説明する。図２３のステップＳ２００において、ＡＶアンプ３００が、ＡＶアンプ３００のアドレスのＣＥＣメッセージ<Set Stream Path>を受信する。すなわち、ＡＶアンプ３００がＣＥＣメッセージ<Set Stream Path>[1.0.0.0]を受信する。そして、処理がステップＳ２０１に進む。ステップＳ２０１において、ＡＶアンプ３００の電源がオンであるか否かが判断される。ＡＶアンプ３００の電源がオンである場合は、処理がステップＳ２０３に進む。
【０２１５】
ＡＶアンプ３００の電源がオフである場合は、処理がステップＳ２０２に進む。ステップＳ２０２では、ＡＶアンプ３００の電源がオンされ、その後に処理がステップＳ２０３に進む。
【０２１６】
ステップＳ２０３では、ＧＵＩを開く（オープンする）処理が行われる。具体的には、ＡＶアンプ３００のＧＵＩ処理部３３０によりＧＵＩが生成され、テレビジョン装置２００の表示パネル２１６にＧＵＩが表示される。そして、処理がステップＳ２０４に進む。
【０２１７】
ステップＳ２０４において、ＡＶアンプ３００は、各機器に対してＣＥＣメッセージ<Active Source>を送信し、自身がアクティブソース機器であることを宣言する。なお、テレビジョン装置２００に対しては、ＣＥＣメッセージ<Text View On>やＣＥＣメッセージ<Menu Status>[Active]がさらに送信されることもあるが、図２３ではこれらの図示を省略している。
【０２１８】
図２４は、ＡＶアンプ３００により行われるＧＵＩを開く（オープンする）処理の流れを示す。ステップＳ２１０において、ＧＵＩを開く処理が行われる。そして、処理がステップＳ２１１に進む。ステップＳ２１１では、ＡＶアンプ３００から各機器に対してＣＥＣメッセージ<Active Source>が送信される。そして、処理が終了する。なお、ステップＳ２１０およびＳ２１１の処理は、図２３におけるステップＳ２０３およびステップＳ２０４の処理に対応する。
【０２１９】
図２５は、ＡＶアンプ３００により行われるＧＵＩを閉じる（クローズする）処理の流れを示す。ステップＳ２２１において、ＧＵＩを閉じる処理が行われる。そして、処理がステップＳ２２２に進む。ステップＳ２２２において、ＡＶアンプ３００は、ＧＵＩを使用して選択された入力に対してのＣＥＣメッセージ<Routing Change>を出力する。これにより、ＧＵＩを使用して選択された機器が入力として設定される。そして、処理が終了する。
【０２２０】
図２６は、他の機器からＣＥＣメッセージ<Active Source>を受信した場合のＡＶアン プ３００の処理の流れを示す。ステップＳ２３１において、ＡＶアンプ３００は、他の機器からＣＥＣメッセージ<Active Source>を受信する。そして、処理がステップＳ２３２ に進む。他の機器がアクティブソース機器を宣言していることから、ステップＳ２３２ではＧＵＩを閉じる処理が行われる。次に、ステップＳ２３３において、ＡＶアンプの入力切換がなされる。そして、処理が終了する。
【０２２１】
図２７は、ＡＶアンプ３００に対して、入力の切り換えが指示された際の処理の流れを示す。ステップＳ２４１において、ＡＶアンプ３００に対して入力の切り換えが指示される。そして、処理がステップＳ２４２に進む。
【０２２２】
ステップＳ２４２では、入力の切り換え指示に応じて、ＧＵＩを閉じる処理が行われる。そして、処理がステップＳ２４３に進む。ステップＳ２４３において、ＡＶアンプ３００は、入力の切り換え先を示すＣＥＣメッセージ<Routing Change>を各機器に対して出力し、処理を終了する。
【０２２３】
１−１１．具体的な表示の例
本開示の処理の一例を、具体的な表示例と対応させて説明する。説明に先立ち、テレビジョン装置２００のリモートコントロール装置の一例について説明する。テレビジョン装置２００のリモートコントロール装置は、上述したリモコン送信部２３５に対応するものである。
【０２２４】
図２８は、テレビジョン装置２００のリモートコントロール装置（適宜、リモートコントロール装置８００と称する）の外観の一例を示す。リモートコントロール装置８００の主要な構成について説明する。リモートコントロール装置８００は、中央付近に上下左右の方向指示キー８０１を有する。方向指示キー８０１の略中央には、決定ボタン８０２が配設される。下方向に対応するキーの下側にはホームボタン８０３が配設され、ホームボタン８０３に隣接する位置に戻るボタン８０８が配設されている。さらに、リモートコントロール装置８００の上部の右側には、電源ボタン８０４およびＣＥＣを使った機器連携に関連したメニューボタン８０５が配設されている。
【０２２５】
次に、ＡＶアンプ３００のＧＵＩ処理部３３０により生成されるＧＵＩの一例について説明する。ＧＵＩは、例えば、テレビジョン装置２００の表示パネル２１６に表示される。図２９は、ＧＵＩにおけるメニュー画面の一例を示す。メニュー画面８１０は、例えば、複数のアイコンと、アイコンを指定するためのカーソル８１１を含む。複数のアイコンとして、「Ｗａｔｃｈ」と表示されるアイコン８１０ａ、「Ｌｉｓｔｅｎ」と表示されるアイコン８１０ｂ、「Ｆａｖｏｒｉｔｅｓ」と表示されるアイコン８１０ｃ、「Ｅａｓｙ  Ａｕｔｏｍａｔｉｏｎ」と表示されるアイコン８１０ｄ、「Ｓｏｕｎｄ  Ｅｆｆｅｃｔｓ」と表示されるアイコン８１０ｅおよび「Ｓｅｔｔｉｎｇｓ」と表示されるアイコン８１０ｆが例示される。
【０２２６】
ユーザは、方向指示キー８０１を使用して所望のアイコンにカーソル８１１を移動させ、決定ボタン８０２を押下する。そして、ＧＵＩにおける表示が、選択されたアイコンの機能に対応する画面に遷移する。一例として、アイコン８１０ａが選択された場合と、アイコン８１０ｆが選択された場合の画面の遷移について説明する。
【０２２７】
図３０は、アイコン８１０ａにカーソル８１１が合わせられ、決定ボタン８０２が押下された場合における遷移後の表示８１２の一例を示す。表示８１２では、ＡＶアンプ３００の入力端子に応じたアイコンが表示される。例えば、３個のＨＤＭＩ端子に対応して、ＨＤＭＩ１に対応するアイコン８１２ａ、ＨＤＭＩ２に対応するアイコン８１２ｂおよびＨＤＭＩ３に対応するアイコン８１２ｃが表示される。図示は省略しているが、表示８１２にはカーソルが表示され、アイコン８１２ａ、アイコン８１２ｂおよびアイコン８１２ｃのいずれかを選択することができるようにされる。
【０２２８】
なお、図３０により例示される表示８１２では、ケーブルを模したアイコンが表示されているが、各入力端子に接続される機器を模したアイコンが表示されてもよい。例えば、テレビジョン装置２００やＢＤレコーダ４００、ＤＶＤプレーヤ５００の形状を模したアイコンが表示されるようにしてもよい。
【０２２９】
いずれかのアイコンが選択されると、ＧＵＩにおける表示（ここでは、表示８１２）が閉じられ、ＡＶアンプ３００の入力が、選択された入力端子に接続された機器となる。
【０２３０】
図３１は、アイコン８１０ｆにカーソル８１１が合わせられ、決定ボタン８０２が押下された場合における遷移後の表示８１３の一例を示す。表示８１３では、ＡＶアンプ３００の各種の設定を行うための複数の項目が表示されるとともに、複数の項目のうち、いずれかの項目を指定するためのカーソル８１３ａが表示される。カーソル８１３ａをいずれかの項目に合わせ、決定ボタン８０２が押されると、当該項目に対応する設定画面に表示が遷移する。なお、設定画面の表示態様は適宜、変更できるため、これ以上の表示の遷移に関する説明は省略する。
【０２３１】
図３２は、例えば、テレビジョン装置２００の視聴中にホームボタン８０３が押下された際の表示８１５（ホーム画面と称することがある）の一例を示す。表示８１５では、テレビジョン装置２００のモニタにおける一部の表示領域に、例えば、テレビジョン放送が表示される。テレビジョン放送が表示される領域の例が参照符号８１６により指示されている。表示８１５の下部付近には、メニュー画面８１７が表示される。メニュー画面８１７は、複数のアイコンからなり、少なくとも入力切換アイコン８１７ａを含む。ユーザは、左右の方向指示キー８０１を使用して、所望のアイコンを指定する。指定されたアイコンは、他のアイコンより拡大して表示される。いずれかのアイコンを指定した状態で決定ボタン２０２を押下すると当該アイコンの選択が行われる。
【０２３２】
図３２では、入力切換アイコン８１７ａが指定された状態が示されている。入力切換アイコン８１７ａが指定されると、入力切換先の機器を示すアイコンが垂直方向に表示される。例えば、ＨＤＭＩ入力１〜４を示すアイコンとＡＶアンプ３００に対応するアイコン８１８とが表示される。ユーザが上下の方向指示キー８０１を操作することにより、入力切換先の機器を示すアイコンを指定することが可能となる。指定されたアイコンは、他のアイコンに比して拡大して表示される。いずれかのアイコンを指定した状態で決定ボタン２０２を押下すると当該アイコンの選択が行われる。なお、図３２では、ＨＤＭＩ１からＨＤＭＩ４までのアイコンが表示されているが、各ＨＤＭＩ端子に接続される機器のアイコンが表示されるようにしてもよい。
【０２３３】
ここで、入力切換先の機器を示すアイコンは、論理アドレスに対応する機器の文字列を含む。ＡＶアンプ３００には、上述したように、論理アドレス｛３｝（Tuner1）が割り当てられることから、アイコン８１８は「チューナ１」という文字列８１８ａを含む。
【０２３４】
アイコン８１８は、さらに「ＡＶアンプ」という機器名を示す文字列８１８ｂを含む。テレビジョン装置２００が機器名を取得する動作の一例を説明する。図１４を参照して説明したように、ＡＶアンプ３００が論理アドレス｛３｝を取得すると、ＡＶアンプ３００は各機器に対して論理アドレス｛３｝を含むＣＥＣメッセージ<Report Physical Address>を出力する。ＣＥＣメッセージ<Report Physical Address>を受信したテレビジョン装置２００は、論理アドレス｛３｝の機器、すなわち、ＡＶアンプ３００に対してＣＥＣメッセージ<Give Osd Name>を出力する。ＣＥＣメッセージ<Give Osd Name>は、任意の論理アドレスを有する機器に対して、当該機器の機器名を要求するＣＥＣメッセージである。
【０２３５】
ＣＥＣメッセージ<Give Osd Name>を受信したＡＶアンプ３００は、テレビジョン装置２００に対してＣＥＣメッセージ<Set Osd Name>を出力する。ＣＥＣメッセージ<Set Osd Name>は、機器名を送信するためのＣＥＣメッセージである。ＣＥＣメッセージ<Set Osd Name>により、機器名情報「ＡＶ  ＡＭＰ」がＡＶアンプ３００からテレビジョン装置２００に出力される。
【０２３６】
テレビジョン装置２００は、論理アドレス｛３｝に対応させて機器名情報「ＡＶ  ＡＭＰ」を保存する。このように、テレビジョン装置２００は、ＡＶアンプ３００の機器名情報を取得でき、取得した機器名情報を表示８１５の一部として表示することができる。なお、同様にして、テレビジョン装置２００は、ＢＤレコーダ４００やＤＶＤプレーヤ５００の機器名情報を取得できる。機器名情報を示す文字列８１８ｂが表示されているため、ユーザは、実際に接続されている機器を正しく認識することができる。なお、論理アドレスに対応する文字列（チューナ１）を表示しないようにしてもよい。
【０２３７】
一般的なＡＶアンプのように論理アドレス｛５｝を割り当てられるだけでは、ＡＶアンプは「Audio System」として認識され、ソース機器のような操作対象として認識されることがなかった。このため、ホーム画面に操作対象としてのＡＶアンプが表示されることがなく、ＡＶアンプのＧＵＩを表示させるためには、ＡＶアンプ専用のリモコン装置を使用する必要があった。しかしながら、本開示では、一例としてＡＶアンプ３００に論理アドレス｛３｝を割り当てている。このため、テレビジョン装置２００に対してＡＶアンプ３００をチューナとして認識させることができ、ホーム画面にＡＶアンプ３００を表示させることができる。
【０２３８】
図３３は、リンクメニューボタン８０５が押下された場合の表示の一例を示す。表示８２０は、例えば、表示８２１と、リンクメニュー８２２とを含む表示である。テレビジョン装置２００の表示パネル２１６が例えば、略中央で左右に分割され、右側に表示８２１が配され、左側にリンクメニュー８２２が配される。
【０２３９】
表示８２１は、現在の入力に対応する表示であり、テレビジョン放送やＢＤレコーダ４００から供給される映像などである。リンクメニュー８２２は、垂直方向に並んで表示される複数の項目と、各項目を指定するためのカーソル８２３とを含む。複数の項目は、例えば、「つないだ機器を選ぶ」という文字列８２４を含む。
【０２４０】
文字列８２４にカーソル８２３を合わせ、決定ボタン８０２が押されると、表示８２０が、図３４に示す表示８３０に遷移する。表示８３０は、表示８２０と同様に、現在の入力に対応する表示８２１を含む。表示８３０は、さらに表示８３１を含む。
【０２４１】
表示８３１は、テレビジョン装置２００に直接、または、階層的に接続される機器の一覧が表示される。この例では、テレビジョン装置２００にＡＶアンプ３００が接続され、ＡＶアンプ３００にＢＤレコーダ４００およびＤＶＤプレーヤ５００が接続されている。したがって、ＡＶアンプ３００、ＢＤレコーダ４００およびＤＶＤプレーヤ５００に対応するアイコン（８３２ａ〜８３２ｃ）が表示される。さらに、カーソル８３３が表示される。カーソル８３３を移動させることにより所定のアイコンを指定した状態で決定ボタン８０２を押下することにより、いずれかのアイコンを選択することができる。
【０２４２】
図３５は、具体的な表示の遷移の一例を示す。図３５の図面に向かって左側の中央には、テレビジョン放送が表示されているテレビジョン装置２００の表示パネル２１６（テレビ画面）が配置されている。テレビジョン放送の視聴中に、ホームボタン８０３が押下されると（ステップＳ３００）、画面の表示内容がテレビジョン装置２００のホーム画面（図３２を参照して説明した表示８１５）に遷移する。テレビジョン装置２００のホーム画面が表示された状態で、ホームボタン８０３または戻るボタン８０８が押下されると（ステップＳ３１０）、テレビジョン放送が表示される。
【０２４３】
ホーム画面におけるメニュー画面８１７上で、左右の方向指示キー８０１が適宜、操作される（ステップＳ３２０およびステップＳ３３０）。メニュー画面８１７における「入力切換」のアイコンが選択されると図３２に示した表示８１５が表示される。ここで、ＡＶアンプ３００に対応するアイコン８１８が指定され、これを選択した状態で決定ボタン８０２が押下される操作がなされる（ステップＳ３４０）。
【０２４４】
この操作に応じて、例えば、図２２を参照して説明した処理が行われ、ＡＶアンプ３００がアクティブソース機器となる。これにより、テレビジョン装置２００の表示パネル２１６には、ＡＶアンプ３００により生成されたＧＵＩ（メニュー画面）が表示される。具体的には、図２９に示すメニュー画面８１０がテレビジョン装置２００のモニタに表示される。
【０２４５】
メニュー画面８１０において、例えば、「Ｗａｔｃｈ」と表示されるアイコン８１０ａにカーソル８１１が合わせられ、決定ボタン８０２が押下されると（ステップＳ３５０）、表示内容がメニュー画面８１０から表示８１２（図３０参照）に遷移する。表示８１２が表示された状態で戻るボタン８０８が押下されると（ステップＳ３６０）、表示内容がメニュー画面８１０に戻る。
【０２４６】
表示８１２が表示された状態で、アイコン８１２ａ〜アイコン８１２ｃのうち、いずれかのアイコンが指定され、決定ボタン８０２が押下される（ステップＳ４００）。この操作に応じて入力が切り替えられ、切り替えられた入力に対応する表示がなされる（ステップＳ３９０）。例えば、ソース機器の一例であるＢＤレコーダ４００からの映像が表示される。以降、ホームボタン８０３等を操作すると（ステップＳ４１０）、ＢＤレコーダ４００等のソース機器で生成されたメニュー画面等がテレビジョン装置２００のモニタに表示される。なお、メニュー画面８１０が表示された状態でホームボタン８０３が押下されると（ステップＳ３９０）、その時点で選択されているＨＤＭＩの入力に対応した表示がなされる。
【０２４７】
メニュー画面８１０において、例えば、「Ｓｅｔｔｉｎｇｓ」と表示されるアイコン８１０ｆにカーソル８１１が合わせられ、決定ボタン８０２が押下されると（ステップＳ３７０）、表示内容がメニュー画面８１０から表示８１３（図３１参照）に遷移する。表示８１３が表示された状態で戻るボタン８０８が押下されると（ステップＳ３８０）、表示内容がメニュー画面８１０に戻る。図示は省略しているが、メニュー画面８１０において他のアイコンが選択された場合も、それぞれのアイコンに対応する表示に表示内容が遷移する。
【０２４８】
テレビジョン放送が表示されている間に、リンクメニューボタン８０５が押下されると（ステップＳ４２０）、表示内容が表示８２０（図３３）に遷移する。表示８２０が表示された状態でリンクメニューボタン８０５または戻るボタン８０８が押下されると、表示がテレビジョン放送の表示へと戻る。表示８２０が表示された状態で、ホームボタン８０３が押下されると（ステップＳ４４０）、表示内容が表示８１５へと遷移する。
【０２４９】
表示８２０が表示された状態で、文字列８２４（「つないだ機器を選ぶ」という文字列）にカーソル８２３が合わせられ、決定ボタン８０２が押下されると（ステップＳ４５０）、表示内容が表示８２０から表示８３０（図３４参照）に遷移する。表示８３０が表示された状態で戻るボタン８０８が押下されると（ステップＳ４６０）、表示が８２０に戻る。
【０２５０】
表示８２０が表示された状態で、ＡＶアンプ３００に対応するアイコン８３２ａが選択され、決定ボタン８０２が押下されると（ステップＳ４７０）、例えば、図２２を参照して説明した処理が行われ、ＡＶアンプ３００がアクティブソース機器となる。そして、表示内容が表示８３０からメニュー画面８１０へと遷移する。
【０２５１】
ところで、テレビジョン装置２００の入力が例えば、ＢＤレコーダ４００であり、テレビジョン装置２００の表示パネル２１６にＢＤレコーダ４００からの映像が表示される場合を想定する。この状態でホームボタン８０３を押した場合には、ＢＤレコーダ４００により生成されたホーム画面が表示され、テレビジョン装置２００のホーム画面（表示８１５）を表示することができない。
【０２５２】
さらに、ＢＤレコーダ４００により生成されたホーム画面ではＡＶアンプを選択することができない。このため、テレビジョン装置２００の入力をＢＤレコーダ４００等のソース機器に設定すると、ＡＶアンプのＧＵＩを表示させるために、入力を切り換える等の操作が必要になる。
【０２５３】
この点を考慮して、本開示におけるテレビジョン装置２００には、一例として、リンクメニュー機能が付加されている。すなわち、テレビジョン装置２００のモニタにＢＤレコーダ４００が表示されている場合に、リンクメニューボタン８０５が押下されると（ステップＳ４８０）、表示されている映像にリンクメニューが重畳して表示される（表示８２０）。リンクメニューが表示された状態でステップＳ４５０およびステップＳ４７０の操作が行われることにより。ＡＶアンプ３００により生成されるＧＵＩのメニュー画面（メニュー画面８１０）を表示させることができる。
【０２５４】
以上のようにして、ＡＶアンプ３００をソース機器のようにRemote Control Pass Throughのコマンドでの操作が可能となる。音量の調整やミューティング操作などのＣＥＣ上のAudio Systemとして動作するSystem Audio ControlによるRemote Path Throughの機能を拡張することができる。
【０２５５】
＜２．変形例＞
以上、本開示の一実施形態について説明したが、本開示は、上述した実施形態に限られることなく、種々の変形が可能である。
【０２５６】
第２の論理アドレスは、Tuner以外の論理アドレスでもよい。しかしながら、Playback Deviceは、ＤＶＤプレーヤやＢＤプレーヤ、ゲーム機器、スマートホンなどで採用される論理アドレスである。このため、Playback Deviceの論理アドレスをＡＶアンプに割り当てられると、規格上認識できるPlayback Deviceの論理アドレスの上限数に達してしまうおそれがある。このため、Playback Deviceの論理アドレスとは異なる論理アドレスを第２の論理アドレスとしてＡＶアンプに割り当てることが好ましい。
【０２５７】
さらに、本開示は、装置に限らず、方法、プログラム、記録媒体として実現することができる。
【０２５８】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【０２５９】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【０２６０】
本開示は、以下の構成をとることもできる。
（１）
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置。
（２）
前記第２の論理アドレスに対する第１のメッセージが外部機器から入力される処理に応じて、第２のメッセージを出力しない制御を行う
（１）に記載の情報処理装置。
（３）
前記第２のメッセージは、入力を切り換えるメッセージである
（１）または（２）に記載の情報処理装置。
（４）
前記第１のメッセージは、ＨＤＭＩ(High-Definition Multimedia Interface)規格における<Set Stream Path>であり、
前記第２のメッセージは、ＨＤＭＩ(High-Definition Multimedia Interface)規格における<Routing Change>である
（１）乃至（３）のいずれかに記載の情報処理装置。
（５）
前記第１のメッセージの入力に応じて所定の処理が実行され、
前記所定の処理が終了した後に前記第２のメッセージを出力する
（１）乃至（４）のいずれかに記載の情報処理装置。
（６）
前記第１の論理アドレスは、ＨＤＭＩ規格において音声を出力する機器に割り当てられる論理アドレスである
（１）乃至（５）のいずれかに記載の情報処理装置。
（７）
前記第１の論理アドレスは、ＨＤＭI規格においてリピータ機器として定義される機器に割り当てられる論理アドレスであり、
前記第２の論理アドレスは、ＨＤＭI規格においてソース機器として定義される機器に割り当てられる論理アドレスである
（１）乃至（５）のいずれかに記載の情報処理装置。
（８）
前記第１の論理アドレスは、オーディオシステムに対応する論理アドレスであり、
前記第２の論理アドレスは、チューナに対応する論理アドレスである
（７）のいずれかに記載の情報処理装置。
（９）
前記第１のメッセージは、電源をオンするためのメッセージである
（１）乃至（８）のいずれかに記載の情報処理装置。
（１０）
前記外部機器は、テレビジョン装置である
（１）乃至（９）のいずれかに記載の情報処理装置。
（１１）
ＡＶ(Audio Visual)アンプとして構成される
（１）乃至（１０）のいずれかに記載の情報処理装置。
（１２）
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置における制御方法。
（１３）
第１の論理アドレスと該第１の論理アドレスとは異なる第２の論理アドレスとが割り当てられる情報処理装置に対して、
前記第２の論理アドレスに対する第１のメッセージが外部機器から入力される処理に応じて、ＧＵＩデータを出力する
プログラム。
（１４）
少なくとも、第１の機器と、前記第１の機器と所定の規格に準じて接続される第２の機器とを有し、
前記第２の機器は、
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
制御システム。
【符号の説明】
【０２６１】
１００・・・ＡＶシステム
２００・・・テレビジョン装置
２３５・・・リモコン送信部
３００・・・ＡＶアンプ
３０１〜３０４・・・ＨＤＭＩ端子
３２１・・・ＣＰＵ
３２５・・・表示部
３３０・・・ＧＵＩ処理部
８００・・・リモートコントロール装置
【図１】
2014064218.tif 000003
【図２】
2014064218.tif 000004
【図３】
2014064218.tif 000005
【図４】
2014064218.tif 000006
【図５】
2014064218.tif 000007
【図６】
2014064218.tif 000008
【図７】
2014064218.tif 000009
【図８】
2014064218.tif 000010
【図９】
2014064218.tif 000011
【図１０】
2014064218.tif 000012
【図１１】
2014064218.tif 000013
【図１２】
2014064218.tif 000014
【図１３】
2014064218.tif 000015
【図１４】
2014064218.tif 000016
【図１５】
2014064218.tif 000017
【図１６】
2014064218.tif 000018
【図１７】
2014064218.tif 000019
【図１８】
2014064218.tif 000020
【図１９】
2014064218.tif 000021
【図２０】
2014064218.tif 000022
【図２１】
2014064218.tif 000023
【図２２】
2014064218.tif 000024
【図２３】
2014064218.tif 000025
【図２４】
2014064218.tif 000026
【図２５】
2014064218.tif 000027
【図２６】
2014064218.tif 000028
【図２７】
2014064218.tif 000029
【図２８】
2014064218.tif 000030
【図２９】
2014064218.tif 000031
【図３０】
2014064218.tif 000032
【図３１】
2014064218.tif 000033
【図３２】
2014064218.tif 000034
【図３３】
2014064218.tif 000035
【図３４】
2014064218.tif 000036
【図３５】
2014064218.tif 000037
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置。
【請求項２】
前記第２の論理アドレスに対する第２のメッセージが外部機器から入力される処理に応じて、第３のメッセージを出力しない制御を行う
請求項１に記載の情報処理装置。
【請求項３】
前記第１のメッセージは、ＨＤＭＩ(High-Definition Multimedia Interface)規格における<Set Stream Path>である
請求項１に記載の情報処理装置。
【請求項４】
前記第２のメッセージは、電源をオンするためのメッセージである
請求項１に記載の情報処理装置。
【請求項５】
前記第２のメッセージは、ＨＤＭＩ規格における<User Control Pressed>[Power]，<User Control Pressed>[Power On Function]および<Set Stream Path>の少なくとも一つである請求項４に記載の情報処理装置。
【請求項６】
前記第３のメッセージは、入力の切り換えを通知するメッセージである
請求項２に記載の情報処理装置。
【請求項７】
前記第３のメッセージは、ＨＤＭＩ規格における<Routing Change>である
請求項６に記載の情報処理装置。
【請求項８】
前記ＧＵＩデータの出力が停止した後に前記第３のメッセージを出力する
請求項２に記載の情報処理装置。
【請求項９】
前記第１の論理アドレスは、ＨＤＭＩ規格において音声を出力する機器に割り当てられる論理アドレスである
請求項１に記載の情報処理装置。
【請求項１０】
前記第１の論理アドレスは、ＨＤＭI規格においてリピータ機器として定義される機器に割り当てられる論理アドレスであり、
前記第２の論理アドレスは、ＨＤＭI規格においてソース機器として定義される機器に割り当てられる論理アドレスである
請求項１に記載の情報処理装置。
【請求項１１】
前記第１の論理アドレスは、オーディオシステムに対応する論理アドレスであり、
前記第２の論理アドレスは、チューナに対応する論理アドレスである
請求項１０に記載の情報処理装置。
【請求項１２】
前記外部機器は、テレビジョン装置である
請求項１に記載の情報処理装置。
【請求項１３】
ＡＶ(Audio Visual)アンプとして構成される
請求項１に記載の情報処理装置。
【請求項１４】
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置における制御方法。
【請求項１５】
第１の論理アドレスと該第１の論理アドレスとは異なる第２の論理アドレスとが割り当てられる情報処理装置に対して、
前記第２の論理アドレスに対する第１のメッセージが外部機器から入力される処理に応じて、ＧＵＩデータを出力する処理を行わせる
プログラム。
【請求項１６】
少なくとも、第１の機器と、前記第１の機器と所定の規格に準じて接続される第２の機器とを有し、
前記第２の機器は、
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
制御システム。
【手続補正２】
【補正対象書類名】明細書
【補正対象項目名】０２１３
【補正方法】変更
【補正の内容】
【０２１３】
なお、図２２では、図示を省略しているが、ＧＵＩを使用した操作が終了すると、ＡＶアンプ３００のＧＵＩ処理部３３０は、ＧＵＩを生成する処理を終了する。さらに、ＡＶアンプ３００は、図２０のステップＳ１１０と同様に、ＡＶアンプ３００はＣＥＣメッセージ<Routing Change>を各機器に対して出力する。すなわち、第２のメッセージが外部機器から入力されてから所定の期間、第３のメッセージを出力しない、もしくは、第２のメッセージが外部機器から入力されてから所定の処理（例えば、ＧＵＩが生成する処理）が終了するまでの間、第３のメッセージを出力しないようになされる。第２のメッセージが外部機器から入力される処理の後に、第３のメッセージを出力する処理が全面的に禁止されるものではない。
【手続補正３】
【補正対象書類名】明細書
【補正対象項目名】０２６０
【補正方法】変更
【補正の内容】
【０２６０】
本開示は、以下の構成をとることもできる。
（１）
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置。
（２）
前記第２の論理アドレスに対する第２のメッセージが外部機器から入力される処理に応じて、第３のメッセージを出力しない制御を行う
（１）に記載の情報処理装置。
（３）
前記第１のメッセージは、ＨＤＭＩ(High-Definition Multimedia Interface)規格における<Set Stream Path>である
（１）または（２）に記載の情報処理装置。
（４）
前記第２のメッセージは、電源をオンするためのメッセージである
（２）または（３）に記載の情報処理装置。
（５）
前記第２のメッセージは、ＨＤＭＩ規格における<User Control Pressed>[Power]，<User Control Pressed>[Power On Function]および<Set Stream Path>の少なくとも一つである
（４）に記載の情報処理装置。
（６）
前記第３のメッセージは、入力の切り換えを通知するメッセージである
（２）乃至（６）のいずれかに記載の情報処理装置。
（７）
前記第３のメッセージは、ＨＤＭＩ規格における<Routing Change>である
（６）に記載の情報処理装置。
（８）
前記ＧＵＩデータの出力が停止した後に前記第３のメッセージを出力する
（２）に記載の情報処理装置。
（９）
前記第１の論理アドレスは、ＨＤＭＩ規格において音声を出力する機器に割り当てられる論理アドレスである
（１）乃至（８）のいずれかに記載の情報処理装置。
（１０）
前記第１の論理アドレスは、ＨＤＭI規格においてリピータ機器として定義される機器に割り当てられる論理アドレスであり、
前記第２の論理アドレスは、ＨＤＭI規格においてソース機器として定義される機器に割り当てられる論理アドレスである
（１）乃至（８）のいずれかに記載の情報処理装置。
（１１）
前記第１の論理アドレスは、オーディオシステムに対応する論理アドレスであり、
前記第２の論理アドレスは、チューナに対応する論理アドレスである
（１０）に記載の情報処理装置。
（１２）
前記外部機器は、テレビジョン装置である
（１）乃至（１１）のいずれかに記載の情報処理装置。
（１３）
ＡＶ(Audio Visual)アンプとして構成される
（１）乃至（１２）のいずれかに記載の情報処理装置。
（１４）
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
情報処理装置における制御方法。
（１５）
第１の論理アドレスと該第１の論理アドレスとは異なる第２の論理アドレスとが割り当てられる情報処理装置に対して、
前記第２の論理アドレスに対する第１のメッセージが外部機器から入力される処理に応じて、ＧＵＩデータを出力する処理を行わせる
プログラム。
（１６）
少なくとも、第１の機器と、前記第１の機器と所定の規格に準じて接続される第２の機器とを有し、
前記第２の機器は、
第１の論理アドレスと該第１の論理アドレスとは異なる第２の論理アドレスとが割り当てられ、
前記第２の論理アドレスに対する第１のメッセージが外部機器から入力される処理に応じて、ＧＵＩデータを出力する
制御システム。